(57)【特許請求の範囲】
【請求項１】
同期化信号及び/またはＤ２Ｄ信号を検出し、前記同期化信号及び/またはＤ２Ｄ信号に基づいてＤ２Ｄ信号の送受信のためのシンクロナイゼーション・リファレンスを特定するステップと、
検出した同期化信号及び/またはＤ２Ｄ信号に含まれる情報に基づいて、Ｄ２Ｄリソース構成を特定するステップと、
特定した、前記他のＤ２Ｄ信号の送受信のためのシンクロナイゼーション・リファレンス、及び特定した前記Ｄ２Ｄリソース構成に基づいて、Ｄ２Ｄ信号伝送に利用されるリソース位置を特定し、前記リソース位置において他のＤ２Ｄ信号の送受信を行うステップとを備え、
検出した同期化信号及び/またはＤ２Ｄ信号に含まれる情報に基づいて、Ｄ２Ｄリソース構成を特定することは、
同期化信号及び/またはＤ２Ｄ信号に含まれる情報及び事前に獲得した前記情報と前記Ｄ２Ｄリソース構成的対応関係に基づいて、前記Ｄ２Ｄリソース構成を特定することを特徴とするＤ２Ｄ信号の伝送方法。
【請求項２】
前記シンクロナイゼーション・リファレンスは、
タイミングシンクロナイゼーション・リファレンスと、周波数シンクロナイゼーション・リファレンスとのうちのの１つを含むことを特徴とする請求項１に記載のＤ２Ｄ信号の伝送方法。
【請求項３】
前記同期化信号に含まれる情報は、
前記同期化信号の同期化シーケンスを生成するためのシーケンス識別子と、前記同期化シーケンスためのシーケンスタイプと、前記同期化シーケンスための循環シフトと、同期化信号に含まれる時分割複信ＴＤＤのＵＬ／ＤＬ構成情報と、同期化信号に含まれるシステム帯域幅情報とのうちの少なくとも１つを含むことを特徴とする請求項１に記載のＤ２Ｄ信号の伝送方法。
【請求項４】
Ｄ２Ｄリソース構成の特定は、
前記同期化信号及び/またはＤ２Ｄ信号を送信するためのＵＥのＤ２Ｄリソース構成を特定するか、
または、
システムのＤ２Ｄリソース構成を特定することであることを特徴とする請求項１ないし請求項３のいずれか１つに記載のＤ２Ｄ信号の伝送方法。
【請求項５】
前記Ｄ２Ｄ信号は、Ｄ２Ｄ発見信号と、Ｄ２Ｄ通信信号とのうちの少なくとも１つを含むことを特徴とする請求項１ないし請求項３のいずれか１つに記載のＤ２Ｄ信号の伝送方法。
【請求項６】
前記Ｄ２Ｄリソース構成は、Ｄ２Ｄ発見リソース構成と、Ｄ２Ｄ通信リソース構成とのうちの少なくとも１つを含むことを特徴とする請求項１ないし請求項３のいずれか１つに記載のＤ２Ｄ信号の伝送方法。
【請求項７】
前記Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含むことを特徴とする請求項１ないし請求項３のいずれか１つに記載のＤ２Ｄ信号の伝送方法。
【請求項８】
同期化信号及び/またはＤ２Ｄ信号を検出し、前記同期化信号及び/またはＤ２Ｄ信号に基づいてＤ２Ｄ信号の送受信のためのシンクロナイゼーション・リファレンスを特定する第１特定モジュールと、
検出した同期化信号及び/またはＤ２Ｄ信号に含まれる情報に基づいて、Ｄ２Ｄリソース構成を特定する第２特定モジュールと、
特定した、前記他のＤ２Ｄ信号の送受信のためのシンクロナイゼーション・リファレンス、及び特定した前記Ｄ２Ｄリソース構成に基づいて、Ｄ２Ｄ信号伝送に利用されるリソース位置を特定し、前記リソース位置において他のＤ２Ｄ信号の送受信を行う伝送モジュールとを備え、
Ｄ２Ｄリソース構成を特定する場合、前記第２特定モジュールは、
同期化信号及び/またはＤ２Ｄ信号に含まれる情報及び事前に獲得した前記情報と前記Ｄ２Ｄリソース構成的対応関係に基づいて、前記Ｄ２Ｄリソース構成を特定することを特徴とするＤ２Ｄ信号の伝送装置。
【請求項９】
前記シンクロナイゼーション・リファレンスは、タイミングシンクロナイゼーション・リファレンスと、周波数シンクロナイゼーション・リファレンスとのうちの１つを含むことを特徴とする請求項８に記載のＤ２Ｄ信号の伝送装置。
【請求項１０】
前記同期化信号に含まれる情報は、
前記同期化信号の同期化シーケンスを生成するためのシーケンス識別子と、前記同期化シーケンスためのシーケンスタイプと、前記同期化シーケンスための循環シフトと、同期化信号に含まれる時分割複信ＴＤＤのＵＬ／ＤＬ構成情報と、同期化信号に含まれるシステム帯域幅情報とのうちの少なくとも１つを含むことを特徴とする請求項８に記載のＤ２Ｄ信号の伝送装置。
【請求項１１】
Ｄ２Ｄリソース構成を特定する場合、前記第２特定モジュールは、前記同期化信号及び/またはＤ２Ｄ信号を送信するためのＵＥのＤ２Ｄリソース構成を特定するか、または、前記第２特定モジュールは、システムのＤ２Ｄリソース構成を特定することを特徴とする請求項８ないし請求項１０のいずれか１つに記載のＤ２Ｄ信号の伝送装置。
【請求項１２】
前記Ｄ２Ｄ信号は、
Ｄ２Ｄ発見信号と、Ｄ２Ｄ通信信号とのうちの少なくとも１つを含むことを特徴とする請求項８ないし請求項１０のいずれか１つに記載のＤ２Ｄ信号の伝送装置。
【請求項１３】
前記Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含むことを特徴とする請求項８ないし請求項１０のいずれか１つに記載のＤ２Ｄ信号の伝送装置。
【発明の詳細な説明】
【技術分野】
【０００１】
本発明は通信分野に関し、特にＤ２Ｄ信号の伝送方法及び装置に関する。
【背景技術】
【０００２】
図１は、従来のセルラー方式通信技術中の２つの端末（ＵＥ）間のデータ通信方式を示している。図１に示すように、２つの端末の音声及びデータなどのトラフィックは、それぞれ駐在する強化型の基地局（ｅｖｏｌｖｅｄ Ｎｏｄｅ Ｂ、以下ｅＮＢと略称）及びコアネットワーク（ＳＧＷ/ＰＧＷ）によって交換する。
【０００３】
端末から端末（Ｄｅｖｉｃｅ−ｔｏ−Ｄｅｖｉｃｅ，Ｄ２Ｄと略称）技術による通信方法は図１に示す方法と異なる。図２に示すように、Ｄ２Ｄを通じて、隣接の端末は、中心ノード（ｃｅｎｔｒａｌ ｎｏｄｅ，即ち基地局）の転送を要らず、短距離範囲内で、ダイレクト・リンク（ｄｉｒｅｃｔ ｌｉｎｋ）によりデータを伝送する。Ｄ２Ｄ技術自身の短距離通信及びダイレクト通信特徴は、以下のメリットを有する。
【０００４】
（１）端末の短距離ダイレクト通信は、高データレート、低遅延及び低消費電力を実現できる。
【０００５】
（２）ネットワークに広く配布されているユーザー端末及びＤ２Ｄ通信リンクの短距離特徴を利用することにより、スペクトル・リソースを効率的に利用できる。
【０００６】
（３）Ｄ２Ｄのダイレクト通信は、Ｐ２Ｐ（Ｐｅｅｒ−ｔｏ−Ｐｅｅｒ）などのトラフィックのローカルデータ共有ニーズに応じられ、適応性の高いデータサービスを提供することができる。
【０００７】
（４）Ｄ２Ｄダイレクト通信は、ネットワーク中の数多い且つ広く配布されている通信端末を利用して、ネットワークのカバリッジ範囲を進展させることができる。
【０００８】
ＬＴＥ Ｄ２Ｄ技術とは、ＬＴＥ（Ｌｏｎｇ Ｔｅｒｍ Ｅｖｏｌｕｔｉｏｎ）許可周波数帯（ｌｉｃｅｎｓｅｄ ｆｒｅｑｕｅｎｃｙ ｂａｎｄ）における、ＬＴＥネットワークにより制御されるＤ２Ｄ発見及び通信過程を指す。ＬＴＥのＤ２Ｄ技術は、Ｄ２Ｄ技術の従来メリットを発揮するとともに、ＬＴＥネットワークの制御により、制御しがたい干渉などのような従来Ｄ２Ｄ技術の欠陥を解消することもできる。ＬＴＥ Ｄ２Ｄ特性の導入は、ＬＴＥ技術を、単なる無線モバイル・セルラー方式との通信技術からユニバーサル接続技術（Uｎｉｖｅｒｓａｌ Cｏｎｎｅｃｔｉｖｉｔy Ｔｅｃｈｎｏｌｏｇｙ、ＵＣＴと略称）の方向へ導く。
【０００９】
ＬＴＥ Ｄ２Ｄ技術は、Ｄ２Ｄ発見（Ｄ２Ｄ ｄｉｓｃｏｖｅｒｙ）及びＤ２Ｄを含む。Ｄ２Ｄ発見とは、１個のＤ２Ｄ端末（Ｕｓｅｒ Ｅｑｕｉｐｍｅｎｔ、以下ＵＥと略称）により付近の他のＤ２Ｄ ＵＥを発見することを指す。Ｄ２Ｄ通信とは、Ｄ２Ｄ ＵＥと他のＤ２Ｄ ＵＥ間のデータ通信伝送を指す。発見も通信も、ＵＥ間の同期化をベースとしてＤ２Ｄ信号の送受信を行う。ネットワークのカバリッジにおいて、基地局によりシンクロナイゼーション・リファレンス（タイミング・リファレンスとも称する）を提供することができ、カバリッジ内のすべてのＵＥは、基地局からの同期化信号によりシンクロナイゼーション・リファレンスを獲得することができる。ネットワークカバリッジ範囲以外、基地局により提供する同期化機能を利用するため、クラスタヘッドにより同期化信号を送信する必要がある。こうして、クラスタ内の他のＵＥは、同期化信号に基づいて同様なシンクロナイゼーション・リファレンスを獲得することができる。
【００１０】
図３−図５は３種のＤ２Ｄ伝送方式を示す図である。図３はネットワークカバリッジ場合のＤ２Ｄ伝送方式を示す。図４はネットワークカバリッジがない場合のＤ２Ｄ伝送方式を示す。図５は一部のネットワークカバリッジ場合のＤ２Ｄ伝送方式を示す。図３−図５により、いずれの場合においても、Ｄ２Ｄ ＵＥが複数のセルまたは複数のクラスタのＵＥからのＤ２Ｄ信号を受信するかもしれないため、これらのＵＥの所在のセルまたはクラスタのＤ２Ｄに基づいてタイミング及びＤ２Ｄリソース構成（ｒｅｓｏｕｒｃｅ  ｃｏｎｆｉｇｕｒａｔｉｏｎ）を送信して、対応するＤ２Ｄ信号を受信する。その前に、ＵＥは、まず、異なるセルまたはクラスタのＤ２Ｄ信号に対応するシンクロナイゼーション・リファレンス及びＤ２Ｄリソース構成情報を獲得する。ここで、ＵＥの所在のサービスセルまたは所在のクラスタのリソース構成情報は、基地局またはクラスタヘッドにより通知されることができる。
【００１１】
本セルのＤ２Ｄリソース構成情報は、一般的に基地局により通知されるが、ＵＥが他のセルまたは他のクラスタのＤ２Ｄリソース構成情報を獲得する方法はまだ存在しない。こうして、例えばネットワークカバリッジが存在せず、かつクラスタヘッドがリソース割り当て能力を有しない場合、クラスタヘッドによりリソース割り当て及び通知を行われないため、ＵＥは固定リソースしか利用できない。これにより、クラスタ間のＤ２Ｄリソースは同様なリソースであるため、相互干渉を容易に引き起す。
【発明の概要】
【発明が解決しようとする課題】
【００１２】
従来のＵＥが固定リソースによりＤ２Ｄ信号を伝送するため伝送効率及び質が低下される問題点を解決できる技術は、まだ案出できていない。
【００１３】
従来のＵＥが固定リソースによりＤ２Ｄ信号を伝送するため伝送効率及び質が低下される問題点について、本発明はＤ２Ｄ信号の伝送方法及び装置を提供し、ＵＥが同期化信号及び/またはＤ２Ｄ信号によりＤ２Ｄリソース構成を得られ、固定リソースを利用しなくなり、相互干渉を低減することができる。
【課題を解決するための手段】
【００１４】
本発明の思想は以下通りに実現できる。
【００１５】
本発明にかかる実施例は、Ｄ２Ｄ信号の伝送方法を提供する。
【００１６】
Ｄ２Ｄ信号の伝送方法は、同期化信号及び/またはＤ２Ｄ信号を検出し、同期化信号及び/またはＤ２Ｄ信号により他のＤ２Ｄ信号の送受信のためのシンクロナイゼーション・リファレンスを特定するステップと、検出した同期化信号及び/またはＤ２Ｄ信号に含まれる情報に基づいて、Ｄ２Ｄリソース構成を特定するステップと、特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において他のＤ２Ｄ信号の送信または受信を行うステップとを備える。
【００１７】
ここで、シンクロナイゼーション・リファレンスは、タイミングシンクロナイゼーション・リファレンスと、周波数シンクロナイゼーション・リファレンスとのうちの少なくとも１つを含む。
【００１８】
また、他のＤ２Ｄ信号の送受信のためのシンクロナイゼーション・リファレンスを特定するステップは、
Ｄ２Ｄ発見信号における発見シーケンスまたはＤ２Ｄ通信信号における通信同期化シーケンスに基づいて、サブフレームの開始位置を獲得するステップと、
Ｄ２Ｄ発見信号における発見シーケンスまたはＤ２Ｄ通信信号における通信同期化シーケンスに基づいて、オフセット推定（ｏｆｆｓｅｔ ｅｓｔｉｍａｔｉｏｎ）を獲得するステップと、
Ｄ２Ｄ発見信号における発見メッセージまたはＤ２Ｄ通信信号における通信メッセージに含まれる情報に基づいて、サブフレームナンバー及び/または無線フレームナンバーを獲得するステップと、
同期化信号における同期化シーケンスに基づいて、サブフレームの開始位置及びサブフレームナンバーを獲得するステップと、
同期化信号における同期化シーケンスに基づいて、オフセット推定を獲得するステップと、
同期化信号における同期化チャネルに含まれる情報に基づいて、無線フレームナンバーを獲得するステップとのうちの少なくとも１つを含む。
【００１９】
また、Ｄ２Ｄリソース構成を特定するステップは、
同期化信号及び/またはＤ２Ｄ信号に含まれる情報、及び事前に獲得した情報とＤ２Ｄリソース構成の対応関係に基づいて、Ｄ２Ｄリソース構成を特定するステップと、または、同期化信号に含まれる情報に基づいて、Ｄ２Ｄ伝送に用いられる物理リソースを特定し、前記物理リソースに基づいて、前記Ｄ２Ｄリソース構成を特定するステップと、または、検出したＤ２Ｄ信号に含まれるＤ２Ｄリソース構成情報に直接基づいて、Ｄ２Ｄリソース構成を特定するステップとを備える。
【００２０】
ここで、同期化信号に含まれる情報は下記の、同期化信号における同期化シーケンスの生成に用いられるシーケンス識別子と、同期化シーケンスためのシーケンスタイプと、同期化シーケンスための循環シフトと、同期化信号に含まれるＴＤＤのＵＬ／ＤＬ構成情報と、同期化信号に含まれるシステム帯域幅情報とのうちの少なくとも１つを含む。
【００２１】
また、Ｄ２Ｄ発見信号に含まれる情報はＤ２Ｄ発見信号における発見シーケンス及び/またはＤ２Ｄ発見信号における発見メッセージに含まれ、Ｄ２Ｄ通信信号に含まれる情報は、Ｄ２Ｄ通信信号における通信同期化シーケンス及び/またはＤ２Ｄ通信信号における通信メッセージに含まれる。
【００２２】
ここで、発見シーケンスまたは通信同期化シーケンスに含まれる情報は、発見シーケンスまたは通信同期化シーケンスの生成に用いられるシーケンス識別子と、発見シーケンスまたは通信同期化シーケンスためのシーケンスタイプと、発見シーケンスまたは通信同期化シーケンスための循環シフト等情報とのうちの少なくとも１つを含む。
【００２３】
また、発見メッセージまたは通信メッセージに含まれる情報は、ＵＥのＤ２Ｄ ＩＤと、ＵＥの所在のセルのセルＩＤと、ＵＥの所在のクラスタのクラスタＩＤと、Ｄ２ＤアプリケーションＩＤと、Ｄ２Ｄリソース構成指示情報（Ｄ２Ｄ ｒｅｓｏｕｒｃｅ  ｃｏｎｆｉｇｕｒａｔｉｏｎ ｉｎｄｉｃａｔｉｏｎ ｉｎｆｏｒｍａｔｉｏｎ）、発見メッセージまたは通信メッセージのＤＭＲＳシーケンスの生成に用いられるシーケンス識別子とのうちの少なくとも１つを含む。ここで、Ｄ２Ｄリソース構成指示情報は下記の、Ｄ２Ｄ発見リソース構成指示情報と、Ｄ２Ｄ通信リソース構成指示情報とのうちの少なくとも１つを含む。
【００２４】
一態様において、前記対応関係は、基地局またはクラスタヘッドＵＥから予め獲得するか、または既定義（ｐｒｅｄｅｆｉｎｅｄ）の方法により獲得する。
【００２５】
また、対応関係が基地局またはクラスタヘッドＵＥから予め獲得する場合、対応関係は、
本セルの同期化信号及び/またはＤ２Ｄ信号に含まれる情報とＤ２Ｄリソース構成の対応関係と、
他のセルの同期化信号及び/またはＤ２Ｄ信号に含まれる情報とＤ２Ｄリソース構成の対応関係と、
本クラスタヘッドの同期化信号及び/またはＤ２Ｄ信号に含まれる情報とＤ２Ｄリソース構成の対応関係と、
他のクラスタヘッドの同期化信号及び/またはＤ２Ｄ信号に含まれる情報とＤ２Ｄリソース構成の対応関係とのうちの少なくとも１つを含む。
【００２６】
他の一の態様において、検出したＤ２Ｄ発見信号における発見メッセージ、またはＤ２Ｄ通信信号における通信メッセージに含まれるＤ２Ｄリソース構成情報に直接基づいて、Ｄ２Ｄリソース構成を特定することができる。
【００２７】
また、リソース位置においてＤ２Ｄ信号の送信または受信を行うステップは、
同期化信号に基づいて特定したシンクロナイゼーション・リファレンス、及び前記同期化信号に含まれる情報に基づいて特定したＤ２Ｄリソース構成に基づいて、Ｄ２Ｄ信号の送信及び/または受信に用いられるリソース位置を獲得し、前記リソース位置に基づいてＤ２Ｄ信号を送信または受信するステップと、
または、
Ｄ２Ｄ発見信号における発見シーケンスに基づいて特定したシンクロナイゼーション・リファレンス、及び前記Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信するステップと、
または、
Ｄ２Ｄ通信信号における通信同期化シーケンスに基づいて特定したシンクロナイゼーション・リファレンス、及び前記Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信するステップと、
または、
同期化信号に基づいて特定したシンクロナイゼーション・リファレンス、及びＤ２Ｄ発見信号に含まれる情報及び/またはＤ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信するステップと、
または、
Ｄ２Ｄ発見信号における発見シーケンス及び同期化信号に基づいて特定したシンクロナイゼーション・リファレンス、及び前記同期化信号または当該Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信するステップと、
または、
Ｄ２Ｄ通信信号における通信同期化シーケンス及び同期化信号に基づいて特定したシンクロナイゼーション・リファレンス、及び前記同期化信号または当該Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信するステップとを備える。
【００２８】
ここで、前記Ｄ２Ｄリソース構成を特定する処理は、
同期化信号及び/またはＤ２Ｄ信号を送信するＵＥのＤ２Ｄリソース構成を特定するステップと、
または、
システムのＤ２Ｄリソース構成を特定するステップとを備える。
【００２９】
また、Ｄ２Ｄ信号は、Ｄ２Ｄ発見信号と、Ｄ２Ｄ通信信号とのうちの少なくとも１つを含む。
【００３０】
また、Ｄ２Ｄリソース構成は、Ｄ２Ｄ発見リソース構成と、Ｄ２Ｄ通信リソース構成とのうちの少なくとも１つを含む。
【００３１】
好ましくは、Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含む。
【００３２】
本発明の他の１つの態様は、Ｄ２Ｄ信号の伝送装置を提供する。
【００３３】
本発明にかかるＤ２Ｄ信号の伝送装置は、同期化信号及び/またはＤ２Ｄ信号を検出し、同期化信号及び/またはＤ２Ｄ信号により他のＤ２Ｄ信号の送受信のためのシンクロナイゼーション・リファレンスを特定する第１特定モジュールと、検出した同期化信号及び/またはＤ２Ｄ信号に含まれる情報に基づいて、Ｄ２Ｄリソース構成を特定する第２特定モジュールと、特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において他のＤ２Ｄ信号の送信または受信を行う伝送モジュールとを備える。
【００３４】
ここで、シンクロナイゼーション・リファレンスは、タイミングシンクロナイゼーション・リファレンスと、周波数シンクロナイゼーション・リファレンスとのうちの１つを含む。
【００３５】
また、第１特定モジュールは下記方法のうちの少なくとも１つにより他のＤ２Ｄ信号の送受信のためのシンクロナイゼーション・リファレンスを特定し、
Ｄ２Ｄ発見信号における発見シーケンスまたはＤ２Ｄ通信信号における通信同期化シーケンスに基づいて、サブフレームの開始位置を獲得し、
Ｄ２Ｄ発見信号における発見シーケンスまたはＤ２Ｄ通信信号における通信同期化シーケンスに基づいて、オフセット推定を獲得し、
Ｄ２Ｄ発見信号における発見メッセージまたはＤ２Ｄ通信信号における通信メッセージに含まれる情報に基づいて、サブフレームナンバー及び/または無線フレームナンバーを獲得し、
同期化信号における同期化シーケンスに基づいて、サブフレームの開始位置及びサブフレームナンバーを獲得し、
同期化信号における同期化シーケンスに基づいて、オフセット推定を獲得し、
同期化信号における同期化チャネルに含まれる情報に基づいて、無線フレームナンバーを獲得する。
【００３６】
また、Ｄ２Ｄリソース構成を特定する場合、第２特定モジュールは、同期化信号及び/またはＤ２Ｄ信号に含まれる情報、及び事前に獲得した情報とＤ２Ｄリソース構成の対応関係に基づいて、Ｄ２Ｄリソース構成を特定し、または、第２特定モジュールは、同期化信号に含まれる情報に基づいて、Ｄ２Ｄ伝送に用いられる物理リソースを特定し、前記物理リソースに基づいて、前記Ｄ２Ｄリソース構成を特定し、または、第２特定モジュールは、検出したＤ２Ｄ信号に含まれるＤ２Ｄリソース構成情報に直接基づいて、Ｄ２Ｄリソース構成を特定する。
【００３７】
ここで、同期化信号に含まれる情報は下記の、同期化信号における同期化シーケンスの生成に用いられるシーケンス識別子と、同期化シーケンスためのシーケンスタイプと、同期化シーケンスための循環シフトと、同期化信号に含まれるＴＤＤのＵＬ／ＤＬ構成情報、同期化信号に含まれるシステム帯域幅情報とのうちの少なくとも１つを含む。
【００３８】
また、Ｄ２Ｄ発見信号に含まれる情報はＤ２Ｄ発見信号における発見シーケンス及び/またはＤ２Ｄ発見信号における発見メッセージに含まれる。Ｄ２Ｄ通信信号に含まれる情報は、Ｄ２Ｄ通信信号における通信同期化シーケンス及び/またはＤ２Ｄ通信信号における通信メッセージに含まれる。
【００３９】
また、発見シーケンスまたは通信同期化シーケンスに含まれる情報は、発見シーケンスまたは通信同期化シーケンスの生成に用いられるシーケンス識別子と、発見シーケンスまたは通信同期化シーケンスためのシーケンスタイプと、発見シーケンスまたは通信同期化シーケンスための循環シフト等情報とのうちの少なくとも１つを含む。
【００４０】
また、発見メッセージまたは通信メッセージに含まれる情報は、ＵＥのＤ２Ｄ ＩＤと、ＵＥの所在のセルのセルＩＤと、ＵＥの所在のクラスタのクラスタＩＤと、Ｄ２ＤアプリケーションＩＤと、Ｄ２Ｄリソース構成指示情報と、発見メッセージまたは通信メッセージのＤＭＲＳシーケンスの生成に用いられるシーケンス識別子とのうちの少なくとも１つを含む。ここで、Ｄ２Ｄリソース構成指示情報は、下記の、Ｄ２Ｄ発見リソース構成指示情報と、Ｄ２Ｄ通信リソース構成指示情報とのうちの少なくとも１つを含む。
【００４１】
一方、前記対応関係は、基地局またはクラスタヘッドＵＥから予め獲得するか、または既定義の方法により獲得する。
【００４２】
また、対応関係が基地局またはクラスタヘッドＵＥから予め獲得する場合、対応関係は、
本セルの同期化信号及び/またはＤ２Ｄ信号に含まれる情報とＤ２Ｄリソース構成の対応関係と、
他のセルの同期化信号及び/またはＤ２Ｄ信号に含まれる情報とＤ２Ｄリソース構成の対応関係と、
本クラスタヘッドの同期化信号及び/またはＤ２Ｄ信号に含まれる情報とＤ２Ｄリソース構成の対応関係と、
他のクラスタヘッドの同期化信号及び/またはＤ２Ｄ信号に含まれる情報とＤ２Ｄリソース構成の対応関係うちの少なくとも１つを含む。
【００４３】
他の一方、第２特定モジュールは、検出したＤ２Ｄ発見信号における発見メッセージ、またはＤ２Ｄ通信信号における通信メッセージに含まれるＤ２Ｄリソース構成情報に直接基づいて、Ｄ２Ｄリソース構成を特定する。
【００４４】
また、伝送モジュールがリソース位置においてＤ２Ｄ信号の送信または受信を行う方式は、
同期化信号に基づいて特定したシンクロナイゼーション・リファレンス、及び前記同期化信号に含まれる情報に基づいて特定したＤ２Ｄリソース構成に基づいて、Ｄ２Ｄ信号の送信及び/または受信に用いられるリソース位置を獲得し、前記リソース位置に基づいてＤ２Ｄ信号を送信または受信する方式、
または、
Ｄ２Ｄ発見信号における発見シーケンスに基づいて特定したシンクロナイゼーション・リファレンス、及び前記Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する方式、
または、
Ｄ２Ｄ通信信号における通信同期化シーケンスに基づいて特定したシンクロナイゼーション・リファレンス、及び前記Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する方式、
または、
同期化信号に基づいて特定したシンクロナイゼーション・リファレンス、及びＤ２Ｄ発見信号に含まれる情報及び/またはＤ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する方式、
または、
Ｄ２Ｄ発見信号における発見シーケンス及び同期化信号に基づいて特定したシンクロナイゼーション・リファレンス、及び前記同期化信号または当該Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する方式、
または、
Ｄ２Ｄ通信信号における通信同期化シーケンス及び同期化信号に基づいて特定したシンクロナイゼーション・リファレンス、及び前記同期化信号または当該Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する方式とを備える。
【００４５】
また、Ｄ２Ｄリソース構成を特定する場合、第２特定モジュールは同期化信号及び/またはＤ２Ｄ信号を送信するＵＥのＤ２Ｄリソース構成を特定するか、または、第２特定モジュールはシステムのＤ２Ｄリソース構成を特定する。
【００４６】
また、Ｄ２Ｄ信号は、Ｄ２Ｄ発見信号と、Ｄ２Ｄ通信信号とのうちの少なくとも１つを含む。
【００４７】
また、Ｄ２Ｄリソース構成は、Ｄ２Ｄ発見リソース構成と、Ｄ２Ｄ通信リソース構成とのうちの少なくとも１つを含む。
【００４８】
また、Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含む。
【００４９】
本発明の他の態様によれば、Ｄ２Ｄ信号の他の伝送装置を提供する。
【００５０】
本発明のＤ２Ｄ信号の伝送装置は、メモリにおけるプログラムを読み出し、同期化信号及び/またはＤ２Ｄ信号を検出し、同期化信号及び/またはＤ２Ｄ信号により他のＤ２Ｄ信号のシンクロナイゼーション・リファレンスを送信または受信し、検出した同期化信号及び/または他の信号に含まれる情報に基づいて、Ｄ２Ｄリソース構成を特定し、特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において送受信機を介して他のＤ２Ｄ信号の送信または受信を実行するプロセッサと、
前記プロセッサの制御によりデータを送受信する送受信機とを備える。
【００５１】
ここで、シンクロナイゼーション・リファレンスは、タイミングシンクロナイゼーション・リファレンスと、周波数シンクロナイゼーション・リファレンスとのうちの１つを含むことができる。
【００５２】
また、プロセッサは、以下方式のうちの少なくとも１つによりＤ２Ｄ信号の送受信のためのシンクロナイゼーション・リファレンスを特定し、
Ｄ２Ｄ発見信号における発見シーケンスまたはＤ２Ｄ通信信号における通信同期化シーケンスに基づいて、サブフレームの開始位置を獲得し、
Ｄ２Ｄ発見信号における発見シーケンスまたはＤ２Ｄ通信信号における通信同期化シーケンスに基づいて、オフセット推定を獲得し、
Ｄ２Ｄ発見信号における発見メッセージまたはＤ２Ｄ通信信号における通信メッセージに含まれる情報に基づいて、サブフレームナンバー及び/または無線フレームナンバーを獲得し、
同期化信号における同期化シーケンスに基づいて、サブフレームの開始位置及びサブフレームナンバーを獲得し、
同期化信号における同期化シーケンスに基づいて、オフセット推定を獲得し、
同期化信号における同期化チャネルに含まれる情報に基づいて、無線フレームナンバーを獲得する。
【００５３】
また、Ｄ２Ｄリソース構成を特定する場合、プロセッサは、同期化信号及び/またはＤ２Ｄ信号に含まれる情報、及び事前に獲得した情報とＤ２Ｄリソース構成の対応関係に基づいて、Ｄ２Ｄリソース構成を特定するか、または、第２特定モジュール同期化信号に含まれる情報に基づいて、Ｄ２Ｄ伝送に用いられる物理リソースを特定し、前記物理リソースに基づいて、前記Ｄ２Ｄリソース構成を特定するか、または、第２特定モジュールは、検出したＤ２Ｄ信号に含まれるＤ２Ｄリソース構成情報に直接基づいて、Ｄ２Ｄリソース構成を特定する。
【００５４】
ここで、同期化信号に含まれる情報は下記の、同期化信号における同期化シーケンスの生成に用いられるシーケンス識別子と、同期化シーケンスためのシーケンスタイプと、同期化シーケンスための循環シフトと、同期化信号に含まれるＴＤＤのＵＬ／ＤＬ構成情報と、同期化信号に含まれるシステム帯域幅情報とのうちの少なくとも１つを含む。
【００５５】
また、Ｄ２Ｄ発見信号に含まれる情報はＤ２Ｄ発見信号における発見シーケンス及び/またはＤ２Ｄ発見信号における発見メッセージに含まれる。Ｄ２Ｄ通信信号に含まれる情報は、Ｄ２Ｄ通信信号における通信同期化シーケンス及び/またはＤ２Ｄ通信信号における通信メッセージに含まれる。
【００５６】
また、発見シーケンスまたは通信同期化シーケンスに含まれる情報は下記の、発見シーケンスまたは通信同期化シーケンスの生成に用いられるシーケンス識別子と、発見シーケンスまたは通信同期化シーケンスためのシーケンスタイプと、発見シーケンスまたは通信同期化シーケンスための循環シフト等情報とのうちの少なくとも１つを含む。
【００５７】
また、発見メッセージまたは通信メッセージに含まれる情報は、ＵＥのＤ２Ｄ ＩＤ、ＵＥの所在のセルのセルＩＤと、ＵＥの所在のクラスタのクラスタＩＤと、Ｄ２ＤアプリケーションＩＤと、Ｄ２Ｄリソース構成指示情報と、発見メッセージまたは通信メッセージのＤＭＲＳシーケンスの生成に用いられるシーケンス識別子とのうちの少なくとも１つを含む。ここで、Ｄ２Ｄリソース構成指示情報は、Ｄ２Ｄ発見リソース構成指示情報と、Ｄ２Ｄ通信リソース構成指示情報とのうちの少なくとも１つを含む。
【００５８】
一方、前記対応関係は、基地局またはクラスタヘッドＵＥから予め獲得するか、または定義した装置を介して獲得する。
【００５９】
また、対応関係が基地局またはクラスタヘッドＵＥから予め獲得する場合、対応関係は、
本セルの同期化信号及び/またはＤ２Ｄ信号に含まれる情報とＤ２Ｄリソース構成の対応関係と、
他のセルの同期化信号及び/またはＤ２Ｄ信号に含まれる情報とＤ２Ｄリソース構成の対応関係と、
本クラスタヘッドの同期化信号及び/またはＤ２Ｄ信号に含まれる情報とＤ２Ｄリソース構成の対応関係と、
他のクラスタヘッドの同期化信号及び/またはＤ２Ｄ信号に含まれる情報とＤ２Ｄリソース構成の対応関係とのうちの少なくとも１つを含む。
【００６０】
他の一方、プロセッサは、検出したＤ２Ｄ発見信号における発見メッセージ、またはＤ２Ｄ通信信号における通信メッセージに含まれるＤ２Ｄリソース構成情報に直接基づいて、Ｄ２Ｄリソース構成を特定する。
【００６１】
また、プロセッサがリソース位置において送受信機を介してＤ２Ｄ信号の送受信を行う方法は、同期化信号に基づいて特定したシンクロナイゼーション・リファレンス、及び前記同期化信号に含まれる情報に基づいて特定したＤ２Ｄリソース構成に基づいて、Ｄ２Ｄ信号の送信及び/または受信に用いられるリソース位置を獲得し、当該リソース位置において前記送受信機を介してＤ２Ｄ信号を送信または受信するか、または、
Ｄ２Ｄ発見信号における発見シーケンスに基づいて特定したシンクロナイゼーション・リファレンス、及び前記Ｄ２Ｄ発見信号に含まれる情報に基づいて特定したＤ２Ｄリソース構成に基づいて、Ｄ２Ｄ信号の送信及び/または受信に用いられるリソース位置を獲得し、前記送受信機Ｄ２Ｄを介して信号を送信または受信するか、または、
Ｄ２Ｄ通信信号における通信同期化シーケンスに基づいて特定したシンクロナイゼーション・リファレンス、及び前記Ｄ２Ｄ通信信号に含まれる情報に基づいて特定したＤ２Ｄリソース構成に基づいて、Ｄ２Ｄ信号の送信及び/または受信に用いられるリソース位置を獲得し、前記送受信機Ｄ２Ｄを介して信号を送信または受信するか、または、
同期化信号に基づいて特定したシンクロナイゼーション・リファレンス、及びＤ２Ｄ発見信号に含まれる情報及び/またはＤ２Ｄ通信信号に含まれる情報に基づいて特定したＤ２Ｄリソース構成に基づいて、Ｄ２Ｄ信号の送信及び/または受信に用いられるリソース位置を獲得し、前記送受信機Ｄ２Ｄを介して信号を送信または受信するか、または、
Ｄ２Ｄ発見信号における発見シーケンス及び同期化信号に基づいて特定したシンクロナイゼーション・リファレンス、及び前記同期化信号または当該Ｄ２Ｄ発見信号に含まれる情報に基づいて特定したＤ２Ｄリソース構成に基づいて、Ｄ２Ｄ信号の送信及び/または受信に用いられるリソース位置を獲得し、前記送受信機Ｄ２Ｄを介して信号を送信または受信するか、または、
Ｄ２Ｄ通信信号における通信同期化シーケンス及び同期化信号に基づいて特定したシンクロナイゼーション・リファレンス、及び前記同期化信号または当該Ｄ２Ｄ通信信号に含まれる情報に基づいて特定したＤ２Ｄリソース構成に基づいて、Ｄ２Ｄ信号の送信及び/または受信に用いられるリソース位置を獲得し、前記送受信機Ｄ２Ｄを介して信号を送信または受信する。
【００６２】
また、Ｄ２Ｄ信号は、Ｄ２Ｄ発見信号と、Ｄ２Ｄ通信信号とのうちの少なくとも１つを含む。
【００６３】
また、Ｄ２Ｄリソース構成は、Ｄ２Ｄ発見リソース構成と、Ｄ２Ｄ通信リソース構成とのうちの少なくとも１つを含む。
【００６４】
また、Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含む。
【００６５】
本発明が、ＵＥが同期化信号及び/またはＤ２Ｄ信号によりＤ２Ｄリソース構成を得られるようにすることにより、ＵＥがＤ２Ｄ信号伝送の際に固定リソースしか利用できない従来の問題点を解決し、伝送効率及び質を向上する。
【図面の簡単な説明】
【００６６】
【図１】従来技術のセルラーネットワークにおける端末通信のデータフローチャートである。
【図２】従来技術の端末の直接通信際のデータフローチャートである。
【図３】従来技術のネットワークカバリッジを有するＤ２Ｄ伝送シーン構造図である。
【図４】従来技術のネットワークカバリッジを有しない場合のＤ２Ｄ伝送シーン構造図である。
【図５】従来技術の一部ネットワークカバリッジのＤ２Ｄ伝送シーン構造図である。
【図６】本発明にかかる実施例のＤ２Ｄ信号の伝送方法のフローチャート図である。
【図７】本発明にかかる実施例のＤ２Ｄ信号の伝送装置のブロック図である。
【図８】本発明にかかる技術手段を実施できるコンピューター構造のブロック図である。
【図９】本発明にかかる実施例のＤ２Ｄ信号の他の伝送装置のブロック図である。
【発明を実施するための形態】
【００６７】
以下、本発明にかかる実施例の図面を参照しながら、本発明にかかる実施例の技術手段を明確かつ詳細に説明する。説明した実施例は、本発明にかかる実施例の一部であり、全部ではない。当業者が本発明にかかる実施例に基づいて獲得した他の実施例は、全て本発明の保護範囲に属する。
【００６８】
本発明にかかる実施例は、Ｄ２Ｄ信号の伝送方法を提供する。
【００６９】
図６に示すように、本発明にかかる実施例のＤ２Ｄ信号の伝送方法は、ステップＳ６０１と、ステップＳ６０３と、ステップＳ６０５とを備える。
【００７０】
ステップＳ６０１において、同期化信号及び/またはＤ２Ｄ信号を検出し、同期化信号及び/またはＤ２Ｄ信号により他のＤ２Ｄ信号の送受信のためのシンクロナイゼーション・リファレンスを特定する（タイミング・リファレンスとも称する）。
【００７１】
ステップＳ６０３において、検出した同期化信号及び/またはＤ２Ｄ信号に含まれる情報に基づいて、Ｄ２Ｄリソース構成を特定する。
【００７２】
ステップＳ６０５において、特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において他のＤ２Ｄ信号の送信または受信を行う。
【００７３】
ここで、Ｄ２Ｄ信号はＤ２Ｄ発見信号及び/またはＤ２Ｄ通信信号を含むことができる。
【００７４】
ステップＳ６０３におけるＤ２Ｄリソース構成を特定するのに用いられる同期化信号及び/またはＤ２Ｄ信号と、ステップＳ６０１における確定シンクロナイゼーション・リファレンスを特定するのに用いられる同期化信号及び/またはＤ２Ｄ信号とは、同一の信号であってもよいし、異なる信号であってもよいことに留意されたい。例えば、ステップＳ６０１において、同期化信号を利用してシンクロナイゼーション・リファレンスを特定することができ、ステップＳ６０３において、Ｄ２Ｄ信号（例えば、Ｄ２Ｄ通信信号またはＤ２Ｄ発見信号）を利用してリソース構成を確定することができる。
【００７５】
また、ステップＳ６０１及びステップＳ６０５における他のＤ２Ｄ信号は、前記Ｄ２Ｄ信号と異なり、前述Ｄ２Ｄ信号を送信するＵＥから送信した他のＤ２Ｄ信号であってもよいし、他のＵＥから送信したＤ２Ｄ信号であってもよく、または後で送信しようとするＤ２Ｄ信号であってもよい。Ｄ２Ｄ信号の受信は、ＵＥ所属のサービスセルのＤ２Ｄ信号の受信であってもよいし、非サービスセルのＤ２Ｄ信号の受信であってもよい。
【００７６】
ここで、同期化信号はサブフレームの開始位置及びサブフレームナンバーを獲得するのに用いられる同期化シーケンスを含むことができ、無線フレームナンバーを獲得するのに用いられる同期化チャネルを含むこともできるため、同期化信号に基づいてシンクロナイゼーション・リファレンスを確定することができる。また、シンクロナイゼーション・リファレンスは、同期化信号の検出により特定できるし、Ｄ２Ｄ信号（例えば、Ｄ２Ｄ発見信号）の検出により特定することもでき、さらに、同期化信号及びＤ２Ｄ信号の検出により特定することもできる。特定したシンクロナイゼーション・リファレンスは、タイミングシンクロナイゼーション・リファレンス、及び/または周波数シンクロナイゼーション・リファレンスを含む。
【００７７】
具体的に、他のＤ２Ｄ信号の送受信のシンクロナイゼーション・リファレンスの特定は、
Ｄ２Ｄ発見信号における発見シーケンスまたはＤ２Ｄ通信信号における通信同期化シーケンスに基づいて、サブフレームの開始位置を獲得する手段と、
Ｄ２Ｄ発見信号における発見シーケンスまたはＤ２Ｄ通信信号における通信同期化シーケンスに基づいて、オフセット推定を獲得する手段と、
Ｄ２Ｄ発見信号における発見メッセージまたはＤ２Ｄ通信信号における通信メッセージに含まれる情報に基づいて、サブフレームナンバー及び/または無線フレームナンバーを獲得する手段と、
同期化信号における同期化シーケンスに基づいて、サブフレームの開始位置及びサブフレームナンバーを獲得する手段と、
同期化信号における同期化シーケンスに基づいて、オフセット推定を獲得する手段と、
同期化信号における同期化チャネルに含まれる情報に基づいて、無線フレームナンバーを獲得する手段とのうちの少なくとも１つを含む。
【００７８】
一実施例において、Ｄ２Ｄ信号に基づいてシンクロナイゼーション・リファレンスを特定する場合、サブフレームナンバーを特定しなくてもよい。例えば、Ｄ２Ｄ発見信号における発見シーケンスに基づいてサブフレームの開始位置を獲得して、シンクロナイゼーション・リファレンスとして、サブフレームナンバーを特定しない場合のＤ２Ｄ信号を受信する。
【００７９】
以下、Ｄ２Ｄリソース構成の特定を説明する。ここのリソース構成は、Ｄ２Ｄ発見信号のリソース構成（即ちＤ２Ｄ発見リソース構成）、及び/またはＤ２Ｄ通信的リソース構成（即ちＤ２Ｄ通信リソース構成）を含むことができる。
【００８０】
また、Ｄ２Ｄリソース構成を特定する場合、検出した同期化信号及び/またはＤ２Ｄ信号に含まれる情報に基づいて、同期化信号及び/またはＤ２Ｄ信号を送信するＵＥのＤ２Ｄリソース構成を特定でき、検出した同期化信号及び/またはＤ２Ｄ信号に含まれる情報に基づいて、システムのＤ２Ｄリソース構成を特定することもできる。換言すれば、特定したリソース構成は、１つのＵＥのリソース構成であってもよく、全システムのリソース構成であってもよい。ここで、システムのＤ２Ｄリソース構成は、１個のセルの全てのＵＥのＤ２Ｄリソース構成であってもよく、全セルのＤ２Ｄリソース構成であってもよい。
【００８１】
また、Ｄ２Ｄリソース構成は、物理リソース構成（例えば、Ｄ２Ｄ信号の占有する時間リソース及び周波数リソース構成より構成され、ホッピングパターンも含む）と、物理リソース単位（即ち、１個の発見リソースまたは通信リソースで占有されるリソースサイズである）と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含む。
【００８２】
Ｄ２Ｄリソース構成を特定する場合、多様の手段で特定することができ、以下、これらの手段それぞれを説明する。
【００８３】
（手段１）同期化信号及び/またはＤ２Ｄ信号に含まれる情報、及び事前に獲得した情報とＤ２Ｄリソース構成の対応関係に基づいて、Ｄ２Ｄリソース構成を特定する。
【００８４】
同期化信号に含まれる情報は、同期化信号における同期化シーケンスの生成に用いられるシーケンス識別子（当該シーケンス識別子は、ＵＥの所在のセルのセルＩＤにより得られ、またはＵＥの所在のクラスタのクラスタＩＤにより得られる）と、同期化シーケンスためのシーケンスタイプと、同期化シーケンスための循環シフトと、同期化信号に含まれる時分割複信（Ｔｉｍｅ Ｄｉｖｉｓｉｏｎ Ｄｕｐｌｅx、ＴＤＤ）ＵＬ／ＤＬ構成情報と、同期化信号に含まれるシステム帯域幅情報とのうちの少なくとも１つを含む。
【００８５】
Ｄ２Ｄ発見信号に含まれる情報は、Ｄ２Ｄ発見信号における発見シーケンス及び/またはＤ２Ｄ発見信号における発見メッセージに含まれることができる。Ｄ２Ｄ通信信号に含まれる情報は、Ｄ２Ｄ通信信号における通信同期化シーケンス及び/またはＤ２Ｄ通信信号における通信メッセージに含まれることができる。ここで、好ましくは、発見シーケンスまたは通信同期化シーケンスに含まれる情報は、発見シーケンスまたは通信同期化シーケンスの生成に用いられるシーケンス識別子（当該シーケンス識別子はＵＥの所在のセルのセルＩＤであってもよく、またはＵＥの所在のクラスタのクラスタＩＤであってもよい）と、発見シーケンスまたは通信同期化シーケンスためのシーケンスタイプと、発見シーケンスまたは通信同期化シーケンスための循環シフト等情報とのうちの少なくとも１つを含む。発見メッセージまたは通信メッセージに含まれる情報は、ＵＥのＤ２Ｄ ＩＤと、ＵＥの所在のセルのセルＩＤと、ＵＥの所在のクラスタのクラスタＩＤと、Ｄ２ＤアプリケーションＩＤと、Ｄ２Ｄリソース構成指示情報と、発見メッセージまたは通信メッセージの復調基準信号（Ｄｅｍｏｄｕｌａｔｉｏｎ Ｒｅfｅｒｅｎｃｅ Ｓｉｇｎａｌ、ＤＭＲＳ）シーケンスを生成するためのシーケンス識別子とのうちの少なくとも１つを含む。ここで、Ｄ２Ｄリソース構成指示情報は、Ｄ２Ｄ発見リソース構成指示情報と、Ｄ２Ｄ通信リソース構成指示情報とのうちの少なくとも１つを含む。Ｄ２Ｄリソース構成指示情報は、Ｄ２Ｄ発見リソース構成指示情報と、Ｄ２Ｄ通信リソース構成指示情報とのうちの少なくとも１つを含む。
【００８６】
前記対応関係において、対応関係中の一方はＤ２Ｄリソース構成であり、他の一方は、前記同期化信号に含まれる情報と、発見シーケンスに含まれる情報と、発見メッセージに含まれる情報と、通信シーケンスに含まれる情報と、通信メッセージに含まれる情報とのうちのいずれかの情報を含むか、上記例挙した複数の情報の組み合わせであってもよい。
【００８７】
例えば、１個の実施例において、ＵＥは、検出した同期化信号のシーケンスにより特定したシーケンス識別子、及び予め特定したシーケンス識別子とＤ２Ｄリソース構成の対応関係に基づいて、Ｄ２Ｄリソース構成を特定する。他の１個の実施例において、ＵＥは、検出したＤ２Ｄ発見信号における発見シーケンスにより特定したシーケンス識別子、及び予め特定したシーケンス識別子とＤ２Ｄリソース構成の対応関係に基づいて、Ｄ２Ｄリソース構成を特定する。他の１個の実施例において、ＵＥは、検出したＤ２Ｄ発見信号における発見メッセージに含まれるＤ２Ｄ ＩＤ、及び予め特定したＤ２Ｄ ＩＤとＤ２Ｄ発見リソース構成との対応関係に基づいて、Ｄ２Ｄ発見リソース構成を特定する。他の１個の実施例において、ＵＥは、検出したＤ２Ｄ発見信号における発見メッセージに含まれるＤ２Ｄリソース構成指示情報、及び予め特定したＤ２Ｄリソース構成指示情報とＤ２Ｄリソース構成の対応関係に基づいて、Ｄ２Ｄリソース構成を特定する。また、上記例挙した具体的な実施例間に組み合わせることができるし、例挙していない他の実施例と組み合わせることもできる。
【００８８】
また、前記対応関係は、基地局またはクラスタヘッドＵＥから予め獲得するか、または定義した方法により獲得する。
【００８９】
ここで、対応関係が基地局またはクラスタヘッドＵＥから予め獲得する場合、対応関係は少なくとも下記の１つを含む。
【００９０】
‐  本セルの同期化信号及び/またはＤ２Ｄ信号に含まれる情報とＤ２Ｄリソース構成の対応関係
‐  他のセルの同期化信号及び/またはＤ２Ｄ信号に含まれる情報とＤ２Ｄリソース構成の対応関係
‐  本クラスタヘッドの同期化信号及び/またはＤ２Ｄ信号に含まれる情報とＤ２Ｄリソース構成の対応関係
‐  他のクラスタヘッドの同期化信号及び/またはＤ２Ｄ信号に含まれる情報とＤ２Ｄリソース構成の対応関係。
【００９１】
例えば、本セルの基地局は、他の基地局とのＤ２Ｄリソース構成情報の交換により、他のセルの同期化信号またはＤ２Ｄ信号に含まれる情報とＤ２Ｄリソース構成の対応関係を獲得して、ＵＥに通知することができる。また、クラスタヘッドＵＥは、他のクラスタヘッドＵＥとのＤ２Ｄリソース構成情報の交換により、他のクラスタ的同期化信号またはＤ２Ｄ信号に含まれる情報とＤ２Ｄリソース構成の対応関係を獲得して、ＵＥに通知することができる。
【００９２】
（手段２）検出したＤ２Ｄ信号に含まれるＤ２Ｄリソース構成情報に直接基づいて、Ｄ２Ｄリソース構成を特定する。Ｄ２Ｄ信号は、Ｄ２Ｄ発見信号及び/またはＤ２Ｄ通信信号を含む。当該手段によりＤ２Ｄリソース構成を特定する場合、検出したＤ２Ｄ発見信号における発見メッセージ、またはＤ２Ｄ通信信号における通信メッセージに含まれるＤ２Ｄリソース構成情報に直接基づいて、Ｄ２Ｄリソース構成を特定する。例えば、Ｄ２Ｄ発見信号の場合、Ｄ２Ｄリソース構成はある特定情報に対応するようにＤ２Ｄ発見信号に含まれておらず、Ｄ２Ｄ発見信号にＤ２Ｄリソース構成が直接に含まれるため、ＵＥのＤ２Ｄリソース構成を特定する場合、前に説明した手段１の対応関係を利用せず、Ｄ２Ｄ発見信号に含まれるコンテンツを直接に読み出せばよい。例えば、ＵＥは、Ｄ２Ｄ発見信号における発見メッセージに含まれる発見リソース構成情報に基づいて、Ｄ２Ｄ発見リソース構成を特定することができる。Ｄ２Ｄ通信信号の場合、同様に類似の手段によりＤ２Ｄ構成を特定すればよい。
【００９３】
（手段３）同期化信号に含まれる情報に基づいて、Ｄ２Ｄ伝送に用いられる物理リソースを特定し、前記物理リソースに基づいて、前記Ｄ２Ｄリソース構成を特定する。当該手段によりＤ２Ｄリソース構成を特定する場合、同期化信号に含まれる情報に基づいて、Ｄ２Ｄ伝送に用いられる物理リソースを特定して、Ｄ２Ｄリソース構成を特定する。例えば、ＵＥは、同期化信号に含まれるＴＤＤのＵＬ／ＤＬ構成情報に基づいて、アップリンクサブフレームがＤ２Ｄ伝送に用いられると特定することにより、Ｄ２Ｄリソース構成を特定する。さらに、ＵＥは、同期化信号に含まれるシステム帯域幅情報に基づいて、システム帯域幅内のリソースのみがＤ２Ｄ伝送に用いられると特定することにより、Ｄ２Ｄリソース構成を特定する。
【００９４】
同期化信号に含まれる情報は少なくとも下記の１つを含む。
【００９５】
‐  同期化信号における同期化シーケンスの生成に用いられるシーケンス識別子（当該シーケンス識別子はＵＥの所在のセルのセルＩＤから得られるか、またはＵＥの所在のクラスタのクラスタＩＤから得られる）
‐  同期化シーケンスためのシーケンスタイプ
‐  同期化シーケンスための循環シフト
‐  同期化信号に含まれるＴＤＤのＵＬ／ＤＬ構成情報、同期化信号に含まれるシステム帯域幅情報。
【００９６】
また、Ｄ２Ｄ発見信号に含まれる情報は、Ｄ２Ｄ発見信号における発見シーケンス及び/またはＤ２Ｄ発見信号における発見メッセージに含まれることができる。Ｄ２Ｄ通信信号に含まれる情報は、Ｄ２Ｄ通信信号における通信同期化シーケンス及び/またはＤ２Ｄ通信信号における通信メッセージに含まれることができる。
【００９７】
ここで、好ましくは、発見シーケンスまたは通信同期化シーケンスに含まれる情報は少なくとも下記の１つを含む。
【００９８】
‐  発見シーケンスまたは通信同期化シーケンスの生成に用いられるシーケンス識別子（当該シーケンス識別子はＵＥの所在のセルのセルＩＤであるか、またはＵＥの所在のクラスタのクラスタＩＤである）
‐  発見シーケンスまたは通信同期化シーケンスためのシーケンスタイプ、発見シーケンスまたは通信同期化シーケンスための循環シフト等情報
‐  発見メッセージまたは通信メッセージに含まれる情報は少なくとも下記の１つを含む。
【００９９】
‐  ＵＥのＤ２Ｄ ＩＤ
‐  ＵＥの所在のセルのセルＩＤ
‐  ＵＥの所在のクラスタのクラスタＩＤ
‐  Ｄ２ＤアプリケーションＩＤ
‐  Ｄ２Ｄリソース構成指示情報
‐  発見メッセージまたは通信メッセージのＤＭＲＳシーケンスの生成に用いられるシーケンス識別子。
【０１００】
ここで、Ｄ２Ｄリソース構成指示情報は少なくとも下記の１つを含む。
【０１０１】
‐  Ｄ２Ｄ発見リソース構成指示情報
‐  Ｄ２Ｄ通信リソース構成指示情報。
【０１０２】
ここで、Ｄ２Ｄリソース構成指示情報は少なくとも下記の１つを含む。
【０１０３】
‐  Ｄ２Ｄ発見リソース構成指示情報
‐  Ｄ２Ｄ通信リソース構成指示情報。
【０１０４】
このように、シンクロナイゼーション・リファレンス及びＤ２Ｄリソース構成を特定した後、ＵＥはＤ２Ｄ信号伝送に利用されるリソース位置を特定でき、さらに当該リソース位置においてＤ２Ｄ信号を送受信する。
【０１０５】
一実施例において、ＵＥは、同期化信号に基づいて特定したシンクロナイゼーション・リファレンス及び前記同期化信号に含まれる情報に基づいて特定したＤ２Ｄリソース構成に基づいて、Ｄ２Ｄ信号の送信及び/または受信に用いられるリソース位置を獲得し、前記リソース位置に基づいてＤ２Ｄ信号を送信または受信することができる。
【０１０６】
他の一実施例において、ＵＥは、Ｄ２Ｄ発見信号における発見シーケンスに基づいて特定したシンクロナイゼーション・リファレンス及び前記Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信することができる。
【０１０７】
他の一実施例において、ＵＥは、Ｄ２Ｄ通信信号における通信同期化シーケンスに基づいて特定したシンクロナイゼーション・リファレンス及び前記Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信することができる。
【０１０８】
他の一実施例において、ＵＥは、同期化信号に基づいて特定したシンクロナイゼーション・リファレンス及びＤ２Ｄ発見信号に含まれる情報及び/またはＤ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信することができる。
【０１０９】
他の一実施例において、ＵＥは、Ｄ２Ｄ発見信号における発見シーケンス及び同期化信号に基づいて特定したシンクロナイゼーション・リファレンス及び前記同期化信号または当該Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信することができる。
【０１１０】
他の一実施例において、ＵＥは、Ｄ２Ｄ通信信号における通信同期化シーケンス及び同期化信号に基づいて特定したシンクロナイゼーション・リファレンス、及び前記同期化信号または当該Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信することができる。
【０１１１】
上述のように、Ｄ２Ｄ信号の送信及び検出を実施でき、ＵＥが同期化信号またはＤ２Ｄ信号により異なるセルまたはクラスタのＤ２Ｄ信号の受信に必要となるタイミング及びリソース情報を獲得できるようにし、また、このような手段により本セルまたは所在クラスタのタイミング及びリソース情報を獲得してＤ２Ｄ送信を行う。
【０１１２】
以下、具体的な実施例に基づいて本発明の技術手段を説明する。
【０１１３】
〈実施例１〉ＵＥが基地局のカバリッジ範囲に位置しており、且つＤ２Ｄ ＵＥであると仮定する。
【０１１４】
基地局は隣接の基地局と情報を交換して、隣接基地局のカバリッジセルのセルＩＤ及びＤ２Ｄリソース構成を獲得して、セルＩＤとＤ２Ｄリソース構成の対応関係を生成し、且つ、ダウンリンク制御シグナリングまたはブロードキャストによりＵＥに通知する。ここのＤ２Ｄリソース構成はＤ２Ｄ発見リソース構成であってもよいし、Ｄ２Ｄ通信リソース構成であってもよい。例えば、表１に示す対応関係を参照することができる。
【０１１５】
【表１】
0006275252.tif 000002
【０１１６】
ＵＥは、基地局から送信した、セルＩＤとＤ２Ｄリソース構成の対応関係を知らせるダウンリンク制御シグナリングまたはブロードキャストを受信する。
【０１１７】
ＵＥは、異なるセルＩＤにより複数のセルの同期化信号を検出し、各セルの同期化信号により獲得したダウンリンクタイミングに基づいて対応セルのＤ２Ｄ信号の受信のためのシンクロナイゼーション・リファレンスを特定する。当該Ｄ２Ｄ信号はＤ２Ｄリソース構成と対応し、即ちＤ２Ｄリソース構成がＤ２Ｄ発見リソース構成である場合、Ｄ２Ｄ発見信号の受信のためシンクロナイゼーション・リファレンスであり、Ｄ２Ｄリソース構成がＤ２Ｄ通信リソース構成の場合、Ｄ２Ｄ通信信号の受信のためシンクロナイゼーション・リファレンスである。
【０１１８】
ＵＥが各セルの同期化信号を検出して各セルのセルＩＤを獲得し、当該セルＩＤは同期化信号のためのシーケンスを特定したシーケンス識別子であり、方法はＬＴＥのダウンリンク同期化と同様である。そして、事前に獲得したセルＩＤとＤ２Ｄリソース構成の対応関係に基づいて、各セルのＤ２Ｄリソース構成を特定する。例えば、同期化信号Ａを送信するあるセルＡのＩＤがセルＩＤ２であることを検出すれば、当該セルのＤ２Ｄリソース構成が、周期２、サブフレーム構成２である。
【０１１９】
ＵＥは、特定した受信各セルのＤ２Ｄ信号のシンクロナイゼーション・リファレンス、及び対応セルのＤ２Ｄリソース構成に基づいて、各セルのＤ２Ｄ信号を受信する物理リソースを特定し、且つ対応リソースにおいてＤ２Ｄ信号を受信する。例えば、ＵＥは、同期化信号ＡによりセルＡのシンクロナイゼーション・リファレンスを特定し、セルＡのサブフレームの開始位置及びサブフレームナンバーを獲得し、同期化信号Ａにより獲得したセルＡ、即ちセルＩＤ２のＤ２Ｄリソース構成に基づいて、周期２を周期としてサブフレーム構成２に対応するサブフレームにおいてセルＡのＤ２Ｄ信号を受信する。
【０１２０】
〈実施例２〉ＵＥが基地局のカバリッジ範囲の以外に位置し、且つＤ２Ｄ ＵＥであると仮定する。
【０１２１】
各ＵＥは、クラスタＩＤとＤ２Ｄリソース構成の対応関係を事前に定義する。例えば、クラスタＩＤがＫであるクラスタに対応するＤ２Ｄリソース周期がＴであり、用いるＤ２ＤサブフレームインデックスＮは、Ｎ ｍｏｄ ３ = Ｋ ｍｏｄ ３を満足する。ここのＤ２ＤリソースはＤ２Ｄ発見に用いるリソースであってもよく、Ｄ２Ｄ通信に用いるリソースであってもよい。
【０１２２】
ＵＥは、異なるクラスタＩＤにより複数のクラスタの同期化信号を検出し、各クラスタの同期化信号により獲得したダウンリンクタイミングに基づいて、対応クラスタのＤ２Ｄ信号を受信するシンクロナイゼーション・リファレンスを特定する。ここのＤ２Ｄ信号は、Ｄ２Ｄリソース構成と対応し、即ち、Ｄ２Ｄリソース構成がＤ２Ｄ発見リソース構成である場合、Ｄ２Ｄ発見信号のシンクロナイゼーション・リファレンスであり、Ｄ２Ｄリソース構成がＤ２Ｄ通信リソース構成である場合、Ｄ２Ｄ通信信号のシンクロナイゼーション・リファレンスである。
【０１２３】
ＵＥは各クラスタの同期化信号の検出により各クラスタのクラスタＩＤを獲得し、当該クラスタＩＤが同期化信号のためのシーケンス特定したシーケンス識別子であり、方法はＬＴＥのダウンリンク同期化と類似する。そして、事前に獲得したクラスタＩＤとＤ２Ｄリソース構成の対応関係に基づいて、各クラスタのＤ２Ｄリソース構成を特定する。例えば、同期化信号Ａを送信するあるクラスタＡのクラスタＩＤがｋであると検出すれば、当該クラスタのＤ２Ｄリソース構が周期Ｔであり、用いるＤ２ＤサブフレームインデックスＮがＮ ｍｏｄ ３ = ｋ ｍｏｄ ３を満足する。
【０１２４】
ＵＥは、特定した受信各クラスタのＤ２Ｄ信号のシンクロナイゼーション・リファレンス、及び対応クラスタのＤ２Ｄリソース構成に基づいて、各クラスタのＤ２Ｄ信号を受信する物理リソースを特定し、且つ対応リソースにおいてＤ２Ｄ信号を受信する。例えば、ＵＥは、同期化信号Ａに基づいてクラスタＡのシンクロナイゼーション・リファレンスを特定し、クラスタＡのサブフレームの開始位置及びサブフレームナンバーを獲得し、同期化信号Ａにより獲得したクラスタＡのＤ２Ｄリソース構成に基づき、Ｔを周期とし、Ｎ ｍｏｄ ３ = ｋ ｍｏｄ ３を満足するサブフレームインデックスに対応するサブフレームにおいてクラスタＡのＤ２Ｄ信号を受信する。
【０１２５】
〈実施例３〉ＵＥが基地局のカバリッジ範囲に位置し、且つＤ２Ｄ ＵＥである。
【０１２６】
基地局は、隣接の基地局の情報を交換し、隣接基地局カバリッジのセル内のＵＥが発見シーケンスを生成するためのシーケンスＩＤ及び対応セルのＤ２Ｄ発見リソース構成を獲得し、発見シーケンスＩＤとＤ２Ｄ発見リソース構成の対応関係を獲得し、且つ、ダウンリンク制御シグナリングまたはブロードキャストによりＵＥに通知する。例えば、表２に示す対応関係（シーケンスＩＤがセルＩＤと同一可能）を参照された。
【０１２７】
【表２】
0006275252.tif 000003
【０１２８】
ＵＥは、基地局から送信した、シーケンスＩＤとＤ２Ｄリソース構成の対応関係を知らせるダウンリンク制御シグナリングまたはブロードキャストを受信する。
【０１２９】
ＵＥは、異なるシーケンスＩＤ及び対応する帯域幅構成に基づいて異なるＵＥからのＤ２Ｄ発見信号を検出し、Ｄ２Ｄ発見信号における発見シーケンスにより獲得したタイミングに基づいて、対応ＵＥまたはＵＥ所在セルの他のＵＥのＤ２Ｄ発見信号のシンクロナイゼーション・リファレンスを特定する。
【０１３０】
ＵＥは、検出した各ＵＥのＤ２Ｄ発見信号における発見シーケンスにより、ＵＥが発見シーケンスを生成するためのシーケンスＩＤを獲得する。そして、事前に獲得した発見シーケンスＩＤとＤ２Ｄ発見リソース構成の対応関係に基づいて、対応ＵＥまたはＵＥ所在セルの他のＵＥがＤ２Ｄ発見信号を送信するのに用いるＤ２Ｄ発見リソース構成を特定する。例えば、あるＤ２Ｄ発見信号における発見シーケンスのシーケンスＩＤがシーケンスＩＤ１であると検出すれば、当該ＵＥまたは当該ＵＥ所在セルのＤ２Ｄ発見リソース構成が帯域幅構成１、発見周期１、発見サブフレーム構成１であると特定する。
【０１３１】
ＵＥは、特定した受信各ＵＥまたは各ＵＥ所在セルのＤ２Ｄ発見信号のシンクロナイゼーション・リファレンス、及び当該ＵＥまたは当該ＵＥ所在セルのＤ２Ｄ発見リソース構成に基づいて、当該ＵＥまたは当該ＵＥ所在セルの他のＵＥのＤ２Ｄ発見信号の受信に用いられる物理リソースを特定し、且つ対応リソースにおいてＤ２Ｄ発見信号を受信する。例えば、ＵＥは、Ｄ２Ｄ発見信号Ａに基づいてＵＥ Ａのシンクロナイゼーション・リファレンスを特定し、ＵＥ Ａのサブフレームの開始位置及びサブフレームナンバーを獲得し、Ｄ２Ｄ発見信号Ａにより獲得したＵＥ Ａ即ちＵＥシーケンスＩＤ１のＤ２Ｄリソース構成に基づいて、発見周期１を周期として発見サブフレーム構成１に対応するサブフレーム内の帯域幅構成１に対応する帯域幅においてセルＡのＤ２Ｄ発見信号を受信する。
【０１３２】
〈実施例４〉
ＵＥは、異なるＵＥからのＤ２Ｄ発見信号を検出し、Ｄ２Ｄ発見信号における発見シーケンスにより獲得したタイミングに基づいて、対応ＵＥまたはＵＥ所在セルＵＥのＤ２Ｄ発見信号のシンクロナイゼーション・リファレンスを受信すると特定する。
【０１３３】
ＵＥは、検出した各ＵＥのＤ２Ｄ発見信号における発見メッセージに含まれる発見リソース構成情報により、対応ＵＥまたは対応するＵＥ所在セルＵＥがＤ２Ｄ発見信号を送信するのに用いるＤ２Ｄ発見リソース構成を特定する。例えば、発見メッセージにおける複数ビットの発見リソース構成情報において、Ｄ２Ｄ発見リソース構成は、当該ＵＥまたは当該ＵＥ所在セルを示す。当該Ｄ２Ｄ発見リソース構成は、帯域幅構成１、発見周期１、発見サブフレーム構成１、周波数ホッピング構成１である。
【０１３４】
ＵＥは、特定した受信各ＵＥまたは各ＵＥ所在セルのＤ２Ｄ発見信号のシンクロナイゼーション・リファレンス、及び当該ＵＥまたは当該ＵＥ所在セルのＤ２Ｄ発見リソース構成に基づいて、当該ＵＥまたは当該ＵＥ所在セルＵＥのＤ２Ｄ発見信号を受信するのに用いられる物理リソースを特定し、対応リソースにおいてＤ２Ｄ発見信号を受信する。例えば、ＵＥは、Ｄ２Ｄ発見信号Ａ内の発見シーケンスに基づいてＵＥ Ａ所在セルのシンクロナイゼーション・リファレンスを特定し、当該セルのサブフレームの開始位置及びサブフレームナンバーを獲得し、Ｄ２Ｄ発見信号Ａ内の発見メッセージにより獲得したＵＥ Ａ所在セルのＤ２Ｄ発見リソース構成に基づいて、発見周期１を周期とし、発見サブフレーム構成１に対応するサブフレーム内の帯域幅構成１に対応する帯域幅において、周波数ホッピング構成１により、ＵＥ Ａ所在セルの各ＵＥに用いられる物理リソースを特定し、セルＡにおけるＵＥが送信するＤ２Ｄ発見信号を受信する。
【０１３５】
〈実施例５〉
ＵＥは、異なるセル及び/またはクラスタからの同期化信号を検出し、各セル及び/またはクラスタの同期化信号により獲得したダウンリンクタイミングに基づいて、対応セル及び/またはクラスタのＤ２Ｄ発見信号の受信のためのシンクロナイゼーション・リファレンスを特定する。
【０１３６】
ＵＥは、特定した、対応セル及び/またはクラスタのＤ２Ｄ発見信号を受信するシンクロナイゼーション・リファレンスに基づいて、予め定義したリソース範囲において当該セルＤ２Ｄ発見信号を検出する。
【０１３７】
ＵＥは、検出した当該セル及び/またはクラスタＵＥ送信のＤ２Ｄ発見信号における発見メッセージに含まれる発見リソース構成情報に基づいて、対応するＵＥ所在セル及び/またはクラスタのＵＥがＤ２Ｄ発見信号を送信するのに用いるＤ２Ｄ発見リソース構成を特定する。例えば、発見メッセージに含まれる複数ビットの発見リソース構成情報における、当該ＵＥ所在セル及び/またはクラスタを示すＤ２Ｄ発見リソース構成は、発見サブフレーム構成１、発見サブバンド構成１である。
【０１３８】
ＵＥは、特定した、各セル及び/またはクラスタのＤ２Ｄ発見信号を受信するシンクロナイゼーション・リファレンス、及び対応セル及び/またはクラスタのＤ２Ｄ発見リソース構成に基づいて、各セル及び/またはクラスタのＤ２Ｄ発見信号の受信に用いられる物理リソースを特定し、対応リソースにおいてＤ２Ｄ発見信号を受信する。例えば、ＵＥは同期化信号ＡによりＵＥ Ａ所在セル及び/またはクラスタのシンクロナイゼーション・リファレンスを特定し、当該セル及び/またはクラスタのサブフレームの開始位置及びサブフレームナンバーを獲得し、Ｄ２Ｄ発見信号Ａ内の発見メッセージにより獲得したＵＥ Ａ所在セル及び/またはクラスタのＤ２Ｄ発見リソース構成に基づき、発見サブフレーム構成１に対応するサブフレーム内のサブバンド構成１に対応するサブバンドにおいて、セル及び/またはクラスタＡ内のＵＥにより送信したＤ２Ｄ発見信号を受信する。
【０１３９】
〈実施例６〉ＵＥ基地局のカバリッジ範囲以外に位置し、且つＤ２Ｄ ＵＥであると仮定する。
【０１４０】
各ＵＥは、クラスタＩＤとＤ２Ｄリソース構成の対応関係を事前に定義する。例えばクラスタＩＤがＫであるクラスタに対応するＤ２Ｄリソース周期をＴとし、用いるＤ２ＤサブフレームインデックスＮをＮ ｍｏｄ ４ = Ｋ ｍｏｄ ４(Ｎ<２０)を満足させるようにする。ここのＤ２Ｄリソース構成はＤ２Ｄ発見リソース構成であってもよく、Ｄ２Ｄ通信リソース構成であってもよい。
【０１４１】
ＵＥは、異なるクラスタＩＤに基づいて所在クラスタの同期化信号を検出し、所在クラスタの同期化信号により獲得したダウンリンクタイミングに基づいてＤ２Ｄ信号を送信するシンクロナイゼーション・リファレンスを特定する。ここのＤ２Ｄ信号はＤ２Ｄリソース構成と対応し、即ちＤ２Ｄリソース構成がＤ２Ｄ発見リソース構成であれば、Ｄ２Ｄ発見信号のシンクロナイゼーション・リファレンスであり、Ｄ２Ｄリソース構成がＤ２Ｄ通信リソース構成であれば、Ｄ２Ｄ通信信号のシンクロナイゼーション・リファレンスである。
【０１４２】
ＵＥは、同期化信号の検出において獲得したクラスタＩＤ（当該クラスタＩＤが同期化信号のためのシーケンス特定したシーケンス識別子であり）、及び事前に獲得したクラスタＩＤとＤ２Ｄリソース構成の対応関係に基づいて、所在クラスタのＤ２Ｄリソース構成を特定する。例えば、所在クラスタのクラスタＩＤがｋであれば、当該クラスタのＤ２Ｄリソース構成が発見周期Ｔであり、用いるＤ２ＤサブフレームインデックスＮがＮ ｍｏｄ ４ = ｋ ｍｏｄ ４(Ｎ<２０)を満足することを特定できる。ここのＤ２Ｄリソース構成とステップ１中のＤ２Ｄリソース構成には、同一のコンテンツが含まれる。
【０１４３】
ＵＥは、特定した送信Ｄ２Ｄ信号のシンクロナイゼーション・リファレンス、及び所在クラスタのＤ２Ｄリソース構成に基づいて、Ｄ２Ｄ信号の送信に用いられる物理リソースを特定し、且つ対応リソースにおいてＤ２Ｄ信号を送信する。例えば、ＵＥは、所在クラスタの同期化信号Ａを送信するためのシンクロナイゼーション・リファレンスを確定し、所在クラスタのサブフレームの開始位置及びサブフレームナンバーを特定し、同期化信号Ａにより獲得した所在クラスタのＤ２Ｄリソース構成に基づき、Ｔを周期として、Ｎ ｍｏｄ ４ = ｋ ｍｏｄ ４(Ｎ<２０)を満足するサブフレームインデックスに対応するサブフレームにおいて、Ｄ２Ｄ信号を送信する。
【０１４４】
〈実施例７〉
ＵＥは、異なるＵＥからのＤ２Ｄ通信信号を検出し、Ｄ２Ｄ通信信号における通信同期化シーケンスにより獲得したタイミングに基づいて、対応ＵＥまたはＵＥ所在セルＵＥのＤ２Ｄ通信信号を受信するためのシンクロナイゼーション・リファレンスを特定する。
【０１４５】
ＵＥは、検出した各ＵＥのＤ２Ｄ通信信号における通信メッセージに含まれる通信リソース構成情報に基づき、対応ＵＥまたは対応するＵＥ所在セルのＵＥがＤ２Ｄ通信信号を送信することに用いるＤ２Ｄ通信リソース構成を特定する。例えば、通信メッセージに含まれる複数のビットの通信リソース構成情報における当該ＵＥまたは当該ＵＥ所在セルを示すＤ２Ｄ通信リソース構成は、帯域幅構成１、通信サブフレーム構成１、通信持続時間１である。
【０１４６】
ＵＥは、特定した、各ＵＥまたは各ＵＥ所在セルのＤ２Ｄ通信信号を受信するためのシンクロナイゼーション・リファレンス、及び当該ＵＥまたは当該ＵＥ所在セルのＤ２Ｄ通信リソース構成に基づき、当該ＵＥまたは当該ＵＥ所在セルＵＥのＤ２Ｄ通信信号を受信するのに用いられる物理リソースを特定し、且つ対応リソースにおいてＤ２Ｄ通信信号を受信する。例えば、ＵＥは、Ｄ２Ｄ通信信号Ａの通信同期化シーケンスに基づいてＵＥ Ａ所在セルのシンクロナイゼーション・リファレンスを特定し、当該セルのサブフレームの開始位置及びサブフレームナンバーを獲得し、Ｄ２Ｄ通信信号Ａの通信メッセージにより獲得したＵＥ Ａ所在セルのＤ２Ｄ通信リソース構成に基づいて、通信サブフレーム構成１に対応するサブフレーム内の帯域幅構成１に対応する帯域幅において、通信持続時間１によりＵＥ Ａ所在セルの各ＵＥがＤ２Ｄ通信信号を送信するのに用いられる物理リソースを特定し、セルＡ内のＵＥからのＤ２Ｄ通信信号を受信する。
【０１４７】
発明にかかる実施例は、Ｄ２Ｄ信号の伝送装置をさらに提供する。
【０１４８】
図７に示すように、本発明のＤ２Ｄ信号の伝送装置は、同期化信号及び/またはＤ２Ｄ信号を検出し、同期化信号及び/またはＤ２Ｄ信号により他のＤ２Ｄ信号の送受信のためのシンクロナイゼーション・リファレンスを特定する第１特定モジュール７１と、検出した同期化信号及び/または他の信号に含まれる情報に基づいて、Ｄ２Ｄリソース構成を特定する第２特定モジュール７２と、特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において他のＤ２Ｄ信号の送信または受信を行う伝送モジュール７３とを備える。
【０１４９】
ここで、前記Ｄ２Ｄ信号は、少なくとも下記の１つを含む。
【０１５０】
‐  Ｄ２Ｄ発見信号
‐  Ｄ２Ｄ通信信号。
【０１５１】
また、前記シンクロナイゼーション・リファレンスは、タイミングシンクロナイゼーション・リファレンスと、周波数シンクロナイゼーション・リファレンスとのうちの１つを含む。
【０１５２】
また、シンクロナイゼーション・リファレンスを特定する場合、第１特定モジュール７１がＤ２Ｄ信号の送受信のためのシンクロナイゼーション・リファレンスを特定する手段は、少なくとも下記の１つを含む。
【０１５３】
‐  Ｄ２Ｄ発見信号における発見シーケンスまたはＤ２Ｄ通信信号における通信同期化シーケンスに基づいて、サブフレームの開始位置を獲得する
‐  Ｄ２Ｄ発見信号における発見シーケンスまたはＤ２Ｄ通信信号における通信同期化シーケンスに基づいて、オフセット推定を獲得する
‐  Ｄ２Ｄ発見信号における発見メッセージまたはＤ２Ｄ通信信号における通信メッセージに含まれる情報に基づいて、サブフレームナンバー及び/または無線フレームナンバーを獲得する
‐  同期化信号における同期化シーケンスに基づいて、サブフレームの開始位置及びサブフレームナンバーを獲得する
‐  同期化信号における同期化シーケンスに基づいて、オフセット推定を獲得する
‐  同期化信号における同期化チャネルに含まれる情報に基づいて、無線フレームナンバーを獲得する
一方、Ｄ２Ｄリソース構成を特定する場合、第２特定モジュール７２は、同期化信号及び/またはＤ２Ｄ信号に含まれる情報、及び事前に獲得した情報とＤ２Ｄリソース構成の対応関係に基づいて、Ｄ２Ｄリソース構成を特定することができる。
【０１５４】
ここで、同期化信号に含まれる情報は少なくとも下記の１つを含む。
【０１５５】
‐  同期化信号における同期化シーケンスの生成に用いられるシーケンス識別子
‐  同期化シーケンスためのシーケンスタイプ
‐  同期化シーケンスための循環シフト
‐  同期化信号に含まれるＴＤＤのＵＬ／ＤＬ構成情報
‐  同期化信号に含まれるシステム帯域幅情報。
【０１５６】
また、Ｄ２Ｄ発見信号に含まれる情報はＤ２Ｄ発見信号における発見シーケンス及び/またはＤ２Ｄ発見信号における発見メッセージに含まれる。Ｄ２Ｄ通信信号に含まれる情報は、Ｄ２Ｄ通信信号における通信同期化シーケンス及び/またはＤ２Ｄ通信信号における通信メッセージに含まれる。
【０１５７】
また、発見シーケンスまたは通信同期化シーケンスに含まれる情報は少なくとも下記の１つを含む。
【０１５８】
‐  発見シーケンスまたは通信同期化シーケンスの生成に用いられるシーケンス識別子
‐  発見シーケンスまたは通信同期化シーケンスためのシーケンスタイプ
‐  発見シーケンスまたは通信同期化シーケンスための循環シフト等情報。
【０１５９】
ここで、発見メッセージまたは通信メッセージに含まれる情報は少なくとも下記の１つを含む。
【０１６０】
‐  ＵＥのＤ２Ｄ ＩＤ
‐  ＵＥの所在のセルのセルＩＤ
‐  ＵＥの所在のクラスタのクラスタＩＤ
‐  Ｄ２ＤアプリケーションＩＤ
‐  Ｄ２Ｄリソース構成指示情報
‐  発見メッセージまたは通信メッセージのＤＭＲＳシーケンスの生成に用いられるシーケンス識別子。
【０１６１】
ここで、Ｄ２Ｄリソース構成指示情報はＤ２Ｄ発見リソース構成指示情報と、Ｄ２Ｄ通信リソース構成指示情報とのうちの少なくとも１つを含む。
【０１６２】
また、前記対応関係は、基地局またはクラスタヘッドＵＥから予め獲得するか、または定義した装置を介して獲得する。
【０１６３】
また、対応関係が基地局またはクラスタヘッドＵＥから予め獲得する場合、対応関係は少なくとも下記の１つを含む。
【０１６４】
‐  本セルの同期化信号及び/またはＤ２Ｄ信号に含まれる情報とＤ２Ｄリソース構成の対応関係
‐  他のセルの同期化信号及び/またはＤ２Ｄ信号に含まれる情報とＤ２Ｄリソース構成の対応関係
‐  本クラスタヘッドの同期化信号及び/またはＤ２Ｄ信号に含まれる情報とＤ２Ｄリソース構成の対応関係
‐  他のクラスタヘッドの同期化信号及び/またはＤ２Ｄ信号に含まれる情報とＤ２Ｄリソース構成の対応関係。
【０１６５】
他方、対応関係に基づいてＤ２Ｄリソース構成を特定する以外で、Ｄ２Ｄリソース構成を特定する場合、第２特定モジュール７２は、検出したＤ２Ｄ信号に含まれるＤ２Ｄリソース構成情報に直接基づいて、Ｄ２Ｄリソース構成を特定することができる。
【０１６６】
ここで、Ｄ２Ｄ信号はＤ２Ｄ発見信号及び/またはＤ２Ｄ通信信号を含む。Ｄ２Ｄリソース構成を特定する場合、第２特定モジュール７２は、検出したＤ２Ｄ発見信号における発見メッセージ、またはＤ２Ｄ通信信号における通信メッセージに含まれるＤ２Ｄリソース構成情報に直接基づいて、Ｄ２Ｄリソース構成を特定する。
【０１６７】
他方、Ｄ２Ｄリソース構成の前記２種の特定方法の以外で、Ｄ２Ｄリソース構成を特定する場合、第２特定モジュール７２は、同期化信号に含まれる情報に基づいて、Ｄ２Ｄ伝送に用いられる物理リソースを特定し、前記物理リソースに基づいて、前記Ｄ２Ｄリソース構成を特定する。
【０１６８】
ここで、同期化信号に含まれる情報は少なくとも下記の１つを含む。
【０１６９】
‐  同期化信号における同期化シーケンスの生成に用いられるシーケンス識別子
‐  同期化シーケンスためのシーケンスタイプ
‐  同期化シーケンスための循環シフト
‐  同期化信号に含まれるＴＤＤのＵＬ／ＤＬ構成情報
‐  同期化信号に含まれるシステム帯域幅情報。
【０１７０】
また、Ｄ２Ｄ発見信号に含まれる情報はＤ２Ｄ発見信号における発見シーケンス及び/またはＤ２Ｄ発見信号における発見メッセージに含まれる。Ｄ２Ｄ通信信号に含まれる情報は、Ｄ２Ｄ通信信号における通信同期化シーケンス及び/またはＤ２Ｄ通信信号における通信メッセージに含まれる。
【０１７１】
また、発見シーケンスまたは通信同期化シーケンスに含まれる情報は少なくとも下記の１つを含む。
【０１７２】
‐  発見シーケンスまたは通信同期化シーケンスの生成に用いられるシーケンス識別子
‐  発見シーケンスまたは通信同期化シーケンスためのシーケンスタイプ、発見シーケンスまたは通信同期化シーケンスための循環シフト等情報。
【０１７３】
ここで、発見メッセージまたは通信メッセージに含まれる情報は少なくとも下記の１つを含む。
【０１７４】
‐  ＵＥのＤ２Ｄ ＩＤ、ＵＥの所在のセルのセルＩＤ
‐  ＵＥの所在のクラスタのクラスタＩＤ
‐  Ｄ２ＤアプリケーションＩＤ
‐  Ｄ２Ｄリソース構成指示情報
‐  発見メッセージまたは通信メッセージのＤＭＲＳシーケンスの生成に用いられるシーケンス識別子。
【０１７５】
ここで、Ｄ２Ｄリソース構成指示情報は、Ｄ２Ｄ発見リソース構成指示情報と、Ｄ２Ｄ通信リソース構成指示情報とのうちの少なくとも１つを含む。
【０１７６】
また、伝送モジュール７３は、以下のようにリソース位置においてＤ２Ｄ信号を送受信する。
【０１７７】
‐  同期化信号に基づいて特定したシンクロナイゼーション・リファレンス、及び前記同期化信号に含まれる情報に基づいて特定したＤ２Ｄリソース構成に基づいて、Ｄ２Ｄ信号の送信及び/または受信に用いられるリソース位置を獲得し、前記リソース位置に基づいてＤ２Ｄ信号を送信または受信する。
【０１７８】
‐  または、Ｄ２Ｄ発見信号における発見シーケンスに基づいて特定したシンクロナイゼーション・リファレンス、及び前記Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する。
【０１７９】
‐  または、Ｄ２Ｄ通信信号における通信同期化シーケンスに基づいて特定したシンクロナイゼーション・リファレンス、及び前記Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する。
【０１８０】
‐  または、同期化信号に基づいて特定したシンクロナイゼーション・リファレンス、及びＤ２Ｄ発見信号に含まれる情報及び/またはＤ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する。
【０１８１】
‐  または、Ｄ２Ｄ発見信号における発見シーケンス及び同期化信号に基づいて特定したシンクロナイゼーション・リファレンス、及び前記同期化信号または当該Ｄ２Ｄ発見信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する。
【０１８２】
‐  または、Ｄ２Ｄ通信信号における通信同期化シーケンス及び同期化信号に基づいて特定したシンクロナイゼーション・リファレンス、及び前記同期化信号または当該Ｄ２Ｄ通信信号に含まれる情報に基づいて特定したＤ２Ｄリソース構成に基づいて、Ｄ２Ｄ信号の送信及び/または受信に用いられるリソース位置を獲得し、Ｄ２Ｄ信号を送信または受信する。
【０１８３】
ここで、前記Ｄ２Ｄリソース構成は、Ｄ２Ｄ発見リソース構成と、Ｄ２Ｄ通信リソース構成とのうちの少なくとも１つを含む。
【０１８４】
また、Ｄ２Ｄリソース構成を特定する場合、第２特定モジュール７２は、検出した同期化信号及び/またはＤ２Ｄ信号に含まれる情報に基づいて、同期化信号及び/またはＤ２Ｄ信号を送信するＵＥのＤ２Ｄリソース構成を特定する。
【０１８５】
または、第２特定モジュール７２は、検出した同期化信号及び/またはＤ２Ｄ信号に含まれる情報に基づいて、システムのＤ２Ｄリソース構成を特定する。
【０１８６】
また、Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含む。
【０１８７】
こうして、本発明の上述した技術手段によれば、検出した同期化信号またはＤ２Ｄ信号に含まれる情報に基づいてＤ２Ｄリソース構成を特定し、且つ、同期化信号またはＤ２Ｄ信号により特定したシンクロナイゼーション・リファレンスも利用してＤ２Ｄ信号の検出を行う。これにより、ＵＥが同期化信号またはＤ２Ｄ信号により異なるセルまたはクラスタのＤ２Ｄ信号の受信に必要となるタイミング及びリソース情報を獲得できるようにし、異なるセルまたはクラスタに属するＵＥを発見することができる。また、一クラスタ内のＵＥは、余計なシグナリングオーバーヘッドが要らず、同期化信号により当該クラスタに用いるＤ２Ｄリソースを通知される。さらに、異なるクラスタが独立物理リソースを利用し、リソース間の相互干渉を無くすことができ、更に伝送効率及び質を向上することができる。
【０１８８】
以上までに具体の実施例により本発明の基本原理を説明したが、当業者であれば、本発明の方法及び装置の全部またはいずれのステップまたはユニットを理解でき、いかなる計算装置（プロセッサ、記憶媒体などが含まれる）または計算装置のネットワークにおいて、ハードウェア、ファームウェア及びソフトウェアまたはそれらの組み合わせにより実施でき、当業者が本発明の説明を基にして、基本のプログラミング能力を発揮すれば実施できる。
【０１８９】
よって、本発明の目的としては、いかなる計算装置において１つのプログラムまたは１組のプログラムを起動することにより達成できる。前記計算装置は、周知の汎用装置であってもよい。これにより、本発明の目的は、前記方法または装置を実施するプログラムコードが含まれるプログラム製品の提供のみにより達成することもできる。換言すれば、このようなプログラム製品も本発明の一部となり、このようなプログラム製品が記憶される記憶媒体も本発明の一部となる。前記記憶媒体がいずれかの周知の記憶媒体または将来に開発するいかなる記憶媒体であることが明らかである。
【０１９０】
本発明の他の実施例は、記憶媒体（該記憶媒体は、ＲＯＭ、ＲＡＭ、ハードディスク、取り外す可能メモリ等であってもよい）を提供する。当該記憶媒体にはＤ２Ｄ信号伝送用コンピュータープログラムが書き込んでいる。
【０１９１】
当該コンピュータープログラムには以下ステップを実行するコード セグメントを有する。
【０１９２】
‐  同期化信号及び/またはＤ２Ｄ信号を検出し、同期化信号及び/またはＤ２Ｄ信号により他のＤ２Ｄ信号の送受信のためのシンクロナイゼーション・リファレンスを特定する
‐  検出した同期化信号及び/またはＤ２Ｄ信号に含まれる情報に基づいて、Ｄ２Ｄリソース構成を特定する
‐  特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において他のＤ２Ｄ信号の送信または受信を行う。
【０１９３】
本発明の他の実施例は、コンピュータープログラムを提供する。当該コンピュータープログラムは、以下のＤ２Ｄ信号伝送ステップを実行するコード セグメントを有する。
【０１９４】
‐  同期化信号及び/またはＤ２Ｄ信号を検出し、同期化信号及び/またはＤ２Ｄ信号により他のＤ２Ｄ信号の送受信のためのシンクロナイゼーション・リファレンスを特定する
‐  検出した同期化信号及び/またはＤ２Ｄ信号に含まれる情報に基づいて、Ｄ２Ｄリソース構成を特定する
‐  特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において他のＤ２Ｄ信号の送信または受信を行う。
【０１９５】
ソフトウェア及び/またはファームウェアにより本発明にかかる実施例を実施する場合、プログラムからなるソフトウェアが記憶媒体またはネットワークから特定ハードウェア構造のコンピューターにインストールされる。例えば、図８に示す汎用コンピューター８００には、当該ソフトウェアを構成するプログラムがインストールされる。当該コンピューターが多様なプログラムがインストールされる場合、多様な機能等を実現できる。
【０１９６】
図８において、ＣＰＵ８０１は、ＲＯＭ８０２に記憶されるプログラムまたは記憶部８０８からＲＡＭ８０３にロードされるプログラムにより各種の処理を実行する。ＲＡＭ ８０３においても、ニーズに応じてＣＰＵ ８０１が各種の処理を実行する際に必要となるデータを記憶する。ＣＰＵ ８０１、ＲＯＭ ８０２及びＲＡＭ ８０３は、バス８０４により相互に接続される。入力/出力インターフェース８０５もバス８０４に接続させる。
【０１９７】
以下のユニットが入力/出力インターフェース８０５に接続される。
【０１９８】
‐  入力部８０６。キーパッド、マウス等が含まれる。
【０１９９】
‐  出力部８０７。ディスプレー、例えば、 ブラウン管（ＣＲＴ）、液晶ディスプレー（ＬCＤ）及びスピーカー等が含まれる。
【０２００】
‐  記憶部８０８。ハードディスク等が含まれる。
【０２０１】
‐  通信部８０９。ネットワークインターフェースカード、例えば、ＬＡＮカード、モデム等が含まれる。
【０２０２】
‐  ネットワーク例えばインターネットを介して通信処理を実行する通信部８０９。
【０２０３】
ニーズに応じてドライバー８１０も入力/出力インターフェース８０５に接続される。取り外す可能媒体８１１、例えば磁気ディスク、光ディスク、光磁気 ディスク、半導体メモリ等が、ニーズに応じてドライバー８１０にインストールされることにより、読み出したコンピュータープログラムがニーズに応じて記憶部８０８にインストールさせるようにする。
【０２０４】
ソフトウェアにより前記シリーズの処理を実施する場合、ネットワーク例えばインターネットまたは記憶媒体例えば取り外す可能媒体８１１を介してソフトウェアを構成するプログラムをインストールする。
【０２０５】
当業者であれば、このような記憶媒体が、図８に示すような、プログラムが記憶されており、装置と別個にユーザーへプログラムを提供する取り外す可能媒体８１１に限られないことが理解できる。取り外す可能媒体８１１の例として、磁気ディスク（フロッピー ディスク（登録商標））、光ディスク（ＣＤーＲＯＭ（Ｃｏｍｐａｃｔ Ｄｉｓｋ−Ｒｅａｄ Ｏｎｌｙ ｍｅｍｏｒｙ）及びＤＶＤ（ｄｉｇｉｔａｌ Ｖｅｒｓａｔｉｌｅ Ｄｉｓｋ）が含まれる）、光磁気ディスク（ＭＤ（Ｍｉｎｉ Ｄｉｓｋ）（登録商標）が含まれる）及び半導体メモリが挙げられる。または、記憶媒体は、ＲＯＭ ８０２、記憶部８０８に含まれるハードディスクなどが含まれる。記憶媒体にはプログラムが記憶されており、且つこれらを備える装置とともにユーザーに提供される。
【０２０６】
以下、好ましいハードウェア構造を参照しながら、本発明にかかる実施例により提供される伝送装置の構造、処理方法を説明する。図９に示すように、プロセッサ９００と、送受信機９１０とか備えられれる。
【０２０７】
プロセッサ９００はメモリ９２０内のプログラムを読み出し、以下のように動作する。
【０２０８】
‐  同期化信号及び/またはＤ２Ｄ信号を検出し、同期化信号及び/またはＤ２Ｄ信号により他のＤ２Ｄ信号の送受信のためのシンクロナイゼーション・リファレンスを特定する
‐  検出した同期化信号及び/または他の信号に含まれる情報に基づいて、Ｄ２Ｄリソース構成を特定する
‐  特定した、他のＤ２Ｄ信号の送受信のためのシンクロナイゼーション・リファレンス、及び特定したＤ２Ｄリソース構成に基づいて、Ｄ２Ｄ信号伝送に利用されるリソース位置を特定し、リソース位置において送受信機９１０を介して他のＤ２Ｄ信号の送受信を行う。
【０２０９】
送受信機９１０は、プロセッサ９００の制御によりデータを送受信する。
【０２１０】
ここで、図９において、バスアーキテクチャは、いずれ数の相互接続するバス及びブリッジを備える。具体的に、プロセッサ９００が代表となる１つまたは複数のプロセッサ及びメモリ９２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機９１０は、複数の部品であることができ、即ち、送信機及び受信機を備え、伝送媒体を介して他の装置と通信するユニットを提供する。異なるユーザー設備に対し、ユーザーインターフェースは、外部接続または内部接続に必要な設備のインターフェースであることもできる。プロセッサ９００は、バズアーキテクチャ及び通常の処理を監視し、メモリ９２０は、プロセッサ９００が動作する際に利用するデータを記憶することができる。
【０２１１】
ここで、前記Ｄ２Ｄ信号は、Ｄ２Ｄ発見信号と、Ｄ２Ｄ通信信号とのうちの少なくとも１つを含む。
【０２１２】
また、前記シンクロナイゼーション・リファレンスは、タイミングシンクロナイゼーション・リファレンスと、周波数シンクロナイゼーション・リファレンスとのうちののいずれの１つを含む。
【０２１３】
また、シンクロナイゼーション・リファレンスを特定する場合、プロセッサ９００が、Ｄ２Ｄ信号の送受信のためのシンクロナイゼーション・リファレンスを特定する手段は少なくとも下記の１つを含む。
【０２１４】
‐  Ｄ２Ｄ発見信号における発見シーケンスまたはＤ２Ｄ通信信号における通信同期化シーケンスに基づいて、サブフレームの開始位置を獲得する
‐  Ｄ２Ｄ発見信号における発見シーケンスまたはＤ２Ｄ通信信号における通信同期化シーケンスに基づいて、オフセット推定を獲得する
‐  Ｄ２Ｄ発見信号における発見メッセージまたはＤ２Ｄ通信信号における通信メッセージに含まれる情報に基づいて、サブフレームナンバー及び/または無線フレームナンバーを獲得する
‐  同期化信号における同期化シーケンスに基づいて、サブフレームの開始位置及びサブフレームナンバーを獲得する
‐  同期化信号における同期化シーケンスに基づいて、オフセット推定を獲得する
‐  同期化信号における同期化チャネルに含まれる情報に基づいて、無線フレームナンバーを獲得する。
【０２１５】
一方、Ｄ２Ｄリソース構成を特定する場合、プロセッサ９００は、同期化信号及び/またはＤ２Ｄ信号に含まれる情報、及び事前に獲得した情報とＤ２Ｄリソース構成の対応関係に基づいて、Ｄ２Ｄリソース構成を特定する。
【０２１６】
ここで、同期化信号に含まれる情報は少なくとも下記の１つを含む。
【０２１７】
‐  同期化信号における同期化シーケンスの生成に用いられるシーケンス識別子
‐  同期化シーケンスためのシーケンスタイプ
‐  同期化シーケンスための循環シフト
‐  同期化信号に含まれるＴＤＤのＵＬ／ＤＬ構成情報
‐  同期化信号に含まれるシステム帯域幅情報
‐  同期化信号に含まれるＴＤＤのＵＬ／ＤＬ構成情報
‐  同期化信号に含まれるシステム帯域幅情報。
【０２１８】
また、Ｄ２Ｄ発見信号に含まれる情報はＤ２Ｄ発見信号における発見シーケンス及び/またはＤ２Ｄ発見信号における発見メッセージに含まれる。Ｄ２Ｄ通信信号に含まれる情報は、Ｄ２Ｄ通信信号における通信同期化シーケンス及び/またはＤ２Ｄ通信信号における通信メッセージに含まれる。
【０２１９】
また、発見シーケンスまたは通信同期化シーケンスに含まれる情報は少なくとも下記の１つを含む。
【０２２０】
‐  発見シーケンスまたは通信同期化シーケンスの生成に用いられるシーケンス識別子
‐  発見シーケンスまたは通信同期化シーケンスためのシーケンスタイプ
‐  発見シーケンスまたは通信同期化シーケンスための循環シフト等情報。
【０２２１】
ここで、発見メッセージまたは通信メッセージに含まれる情報は少なくとも下記の１つを含む。
【０２２２】
‐  ＵＥのＤ２Ｄ ＩＤ
‐  ＵＥの所在のセルのセルＩＤ
‐  ＵＥの所在のクラスタのクラスタＩＤ
‐  Ｄ２ＤアプリケーションＩＤ
‐  Ｄ２Ｄリソース構成指示情報
‐  発見メッセージまたは通信メッセージのＤＭＲＳシーケンスの生成に用いられるシーケンス識別子。
【０２２３】
ここで、Ｄ２Ｄリソース構成指示情報は、Ｄ２Ｄ発見リソース構成指示情報と、Ｄ２Ｄ通信リソース構成指示情報とのうちの少なくとも１つを含む。
【０２２４】
また、前記対応関係は、基地局またはクラスタヘッドＵＥから予め獲得するか、または定義した装置を介して獲得する。
【０２２５】
また、対応関係が基地局またはクラスタヘッドＵＥから予め獲得する場合、対応関係は少なくとも下記の１つを含む。
【０２２６】
‐  本セルの同期化信号及び/またはＤ２Ｄ信号に含まれる情報とＤ２Ｄリソース構成の対応関係
‐  他のセルの同期化信号及び/またはＤ２Ｄ信号に含まれる情報とＤ２Ｄリソース構成の対応関係
‐  本クラスタヘッドの同期化信号及び/またはＤ２Ｄ信号に含まれる情報とＤ２Ｄリソース構成の対応関係
‐  他のクラスタヘッドの同期化信号及び/またはＤ２Ｄ信号に含まれる情報とＤ２Ｄリソース構成の対応関係。
【０２２７】
他の一方、対応関係によりＤ２Ｄリソース構成を特定する以外、Ｄ２Ｄリソース構成を特定する場合、プロセッサ９００は、検出したＤ２Ｄ信号に含まれるＤ２Ｄリソース構成情報に直接基づいて、Ｄ２Ｄリソース構成を特定する。
【０２２８】
ここで、Ｄ２Ｄ信号は、Ｄ２Ｄ発見信号及び/またはＤ２Ｄ通信信号を含む。Ｄ２Ｄリソース構成を特定する場合、プロセッサ９００は、検出したＤ２Ｄ発見信号における発見メッセージ、またはＤ２Ｄ通信信号における通信メッセージに含まれるＤ２Ｄリソース構成情報に直接基づいて、Ｄ２Ｄリソース構成を特定する。
【０２２９】
他の一方、Ｄ２Ｄリソース構成の前記２種の特定方法以外、Ｄ２Ｄリソース構成を特定する場合、プロセッサ９００は、同期化信号に含まれる情報に基づいて、Ｄ２Ｄ伝送に用いられる物理リソースを特定し、前記物理リソースに基づいて、前記Ｄ２Ｄリソース構成を特定する。
【０２３０】
ここで、同期化信号に含まれる情報は少なくとも下記の１つを含む。
【０２３１】
‐  同期化信号における同期化シーケンスの生成に用いられるシーケンス識別子
‐  同期化シーケンスためのシーケンスタイプ
‐  同期化シーケンスための循環シフト
‐  同期化信号に含まれるＴＤＤのＵＬ／ＤＬ構成情報
‐  同期化信号に含まれるシステム帯域幅情報。
【０２３２】
また、Ｄ２Ｄ発見信号に含まれる情報はＤ２Ｄ発見信号における発見シーケンス及び/またはＤ２Ｄ発見信号における発見メッセージに含まれる。Ｄ２Ｄ通信信号に含まれる情報は、Ｄ２Ｄ通信信号における通信同期化シーケンス及び/またはＤ２Ｄ通信信号における通信メッセージに含まれる。
【０２３３】
また、発見シーケンスまたは通信同期化シーケンスに含まれる情報は少なくとも下記の１つを含む。
【０２３４】
‐  発見シーケンスまたは通信同期化シーケンスの生成に用いられるシーケンス識別子
‐  発見シーケンスまたは通信同期化シーケンスためのシーケンスタイプ
‐  発見シーケンスまたは通信同期化シーケンスための循環シフト等情報。
【０２３５】
ここで、発見メッセージまたは通信メッセージに含まれる情報は少なくとも下記の１つを含む。
【０２３６】
‐  ＵＥのＤ２Ｄ ＩＤ
‐  ＵＥの所在のセルのセルＩＤ
‐  ＵＥの所在のクラスタのクラスタＩＤ
‐  Ｄ２ＤアプリケーションＩＤ
‐  Ｄ２Ｄリソース構成指示情報
‐  発見メッセージまたは通信メッセージのＤＭＲＳシーケンスの生成に用いられるシーケンス識別子。
【０２３７】
ここで、Ｄ２Ｄリソース構成指示情報は、Ｄ２Ｄ発見リソース構成指示情報と、Ｄ２Ｄ通信リソース構成指示情報とのうちの少なくとも１つを含む。
【０２３８】
また、プロセッサ９００が、リソース位置において送受信機９１０を介してＤ２Ｄ信号の送受信を行う方法は以下のようである。
【０２３９】
‐  同期化信号に基づいて特定したシンクロナイゼーション・リファレンス、及び前記同期化信号に含まれる情報に基づいて特定したＤ２Ｄリソース構成に基づいて、Ｄ２Ｄ信号の送信及び/または受信に用いられるリソース位置を獲得し、当該リソース位置において送受信機９１０を介してＤ２Ｄ信号を送受信する
‐  または、Ｄ２Ｄ発見信号における発見シーケンスに基づいて特定したシンクロナイゼーション・リファレンス、及び前記Ｄ２Ｄ発見信号に含まれる情報に基づいて特定したＤ２Ｄリソース構成に基づいて、Ｄ２Ｄ信号の送信及び/または受信に用いられるリソース位置を獲得し、送受信機９１０を介してＤ２Ｄ信号を送受信する
‐  または、Ｄ２Ｄ通信信号における通信同期化シーケンスに基づいて特定したシンクロナイゼーション・リファレンス、及び前記Ｄ２Ｄ通信信号に含まれる情報に基づいて特定したＤ２Ｄリソース構成に基づいて、Ｄ２Ｄ信号の送信及び/または受信に用いられるリソース位置を獲得し、送受信機９１０を介してＤ２Ｄ信号を送受信する
‐  または、同期化信号に基づいて特定したシンクロナイゼーション・リファレンス、及びＤ２Ｄ発見信号に含まれる情報及び/またはＤ２Ｄ通信信号に含まれる情報に基づいて特定したＤ２Ｄリソース構成に基づいて、Ｄ２Ｄ信号の送信及び/または受信に用いられるリソース位置を獲得し、送受信機９１０を介してＤ２Ｄ信号を送受信する
‐  または、Ｄ２Ｄ発見信号における発見シーケンス及び同期化信号に基づいて特定したシンクロナイゼーション・リファレンス、及び前記同期化信号または当該Ｄ２Ｄ発見信号に含まれる情報に基づいて特定したＤ２Ｄリソース構成に基づいて、Ｄ２Ｄ信号の送信及び/または受信に用いられるリソース位置を獲得し、送受信機９１０を介してＤ２Ｄ信号を送受信する
‐  または、Ｄ２Ｄ通信信号における通信同期化シーケンス及び同期化信号に基づいて特定したシンクロナイゼーション・リファレンス、及び前記同期化信号または当該Ｄ２Ｄ通信信号に含まれる情報に基づいて特定したＤ２Ｄリソース構成に基づいて、Ｄ２Ｄ信号の送信及び/または受信に用いられるリソース位置を獲得し、送受信機９１０を介してＤ２Ｄ信号を送受信する。
【０２４０】
ここで、前記Ｄ２Ｄリソース構成は、Ｄ２Ｄ発見リソース構成と、Ｄ２Ｄ通信リソース構成とのうちの少なくとも１つを含む。
【０２４１】
また、Ｄ２Ｄリソース構成を特定する場合、プロセッサ９００は、検出した同期化信号及び/またはＤ２Ｄ信号に含まれる情報に基づいて、同期化信号及び/またはＤ２Ｄ信号を送信するＵＥのＤ２Ｄリソース構成を特定する。
【０２４２】
または、プロセッサ９００は、検出した同期化信号及び/またはＤ２Ｄ信号に含まれる情報に基づいて、システムのＤ２Ｄリソース構成を特定する。
【０２４３】
また、Ｄ２Ｄリソース構成は、物理リソース構成と、物理リソース単位と、１つの周期内の送信回数と、Ｄ２Ｄ信号の送信確率と、Ｄ２Ｄ信号のためのシーケンス情報と、Ｄ２Ｄ信号のためのスクランブリング情報と、Ｄ２Ｄ信号のＣＰ長さとのうちの少なくとも１つを含む。
【０２４４】
また、本発明の装置及び方法において、各ユニットまたは各ステップは分解及び/または再度の組み合わせができる。これらの分解及び/または再度の組み合わせは本発明の均等案とみなすべきである。また、前記シリーズの処理を実行するステップは、説明順に従って時間順により実行すればよいが、これに限られない。一部のステップは並列または別個に実行してもよい。
【０２４５】
本発明を詳細に説明したが、本発明の趣旨及び実質を逸脱しない限り、発明方法、工程または条件に対しての修正または取り換えることも、全て本発明の範囲に属する。
【０２４６】
本出願は、２００３年１１月１日に中国特許局に提出し、出願番号が２０１３１０５３５１４７.６であり、発明名称が「Ｄ２Ｄ信号の伝送方法及び装置」との中国特許出願を基礎とする優先権を主張し、その開示の総てをここに取り込む。
【図１】
0006275252.tif 000004
【図２】
0006275252.tif 000005
【図３】
0006275252.tif 000006
【図４】
0006275252.tif 000007
【図５】
0006275252.tif 000008
【図６】
0006275252.tif 000009
【図７】
0006275252.tif 000010
【図８】
0006275252.tif 000011
【図９】
0006275252.tif 000012